(57)【要約】【課題】複数の部屋の湿度調節を行う際に使い勝手の良い調湿装置を提供する。【解決手段】１台の室外ユニット（13）と２台の調湿ユニット（11,12）で調湿装置（10）を構成する。２台の調湿ユニット（11,12）は、何れも室外ユニット（13）に接続される。室外ユニット（13）の室外側四方切換弁（22）を切り換えると、各調湿ユニット（11,12）の調湿回路（30,40）において冷媒の流通方向が反転する。調湿回路（30,40）では、第１吸着熱交換器（31,41）と第２吸着熱交換器（32,42）のうち蒸発器となっている方で第１空気が除湿され、凝縮器となっている方で第２空気が加湿される。各調湿ユニット（11,12）は、除湿された第１空気を室内へ供給して除湿運転を行い、加湿された第２空気を室内へ供給して加湿運転を行う。一方の調湿ユニット（11）では、他方の調湿ユニット（12）の運転状態に拘わらず、除湿運転と加湿運転のどちらも可能となっている。【選択図】  図３
2005283053.tif 000002
【特許請求の範囲】
【請求項１】
除湿した空気を室内へ供給する除湿運転と加湿した空気を室内へ供給する加湿運転とを選択的に行う複数の調湿ユニット（11,12）と、
圧縮機（21）が設置される１つの圧縮機ユニット（13）とを備え、
上記調湿ユニット（11,12）は、上記圧縮機ユニット（13）に接続されて冷媒回路（15）を形成し、該冷媒回路（15）の冷媒によって吸着材の加熱と冷却の少なくとも一方を行って該吸着材との接触により空気を調湿するように構成されており、
何れの上記調湿ユニット（11,12）においても、他の調湿ユニット（11,12）が除湿運転中か加湿運転中かに拘わらず除湿運転と加湿運転のどちらも選択可能となっている調湿装置。
【請求項２】
請求項１に記載の調湿装置において、
調湿ユニット（11,12）は、吸着材を担持すると共に冷媒回路（15）に接続される吸着熱交換器（31,32,41,42）を備え、取り込んだ空気を上記吸着熱交換器（31,32,41,42）へ送って吸着材と接触させる調湿装置。
【請求項３】
請求項２に記載の調湿装置において、
調湿ユニット（11,12）は、
第１空気と第２空気とを取り込み、
蒸発器となっている第１の吸着熱交換器（31,41）で第１空気を除湿して凝縮器となっている第２の吸着熱交換器（32,42）で第２空気を加湿する動作と、蒸発器となっている第２の吸着熱交換器（32,42）で第１空気を除湿して凝縮器となっている第１の吸着熱交換器（31,41）で第２空気を加湿する動作とを交互に行い、
除湿運転時には除湿された第１空気を室内へ供給して加湿された第２空気を室外へ排出し、加湿運転時には加湿された第２空気を室内へ供給して除湿された第１空気を室外へ排出する調湿装置。
【請求項４】
請求項３に記載の調湿装置において、
調湿ユニット（11,12）では、第１の吸着熱交換器（31,41）と膨張機構（33,43）と第２の吸着熱交換器（32,42）とが順に直列接続されて冷媒回路（15）の一部を構成する調湿回路（30,40）が形成される一方、
圧縮機ユニット（13）には、上記冷媒回路（15）に接続されて全ての上記調湿回路（30,40）における冷媒の流通方向を反転可能とするための反転機構（22）が設置されている調湿装置。
【請求項５】
請求項３に記載の調湿装置において、
調湿ユニット（11,12）では、第１の吸着熱交換器（31,41）と膨張機構（33,43）と第２の吸着熱交換器（32,42）とが順に直列接続されて冷媒回路（15）の一部を構成する調湿回路（30,40）が形成される一方、
上記調湿回路（30,40）には、該調湿回路（30,40）おける冷媒の流通方向を反転可能とするための反転機構（34,44）が接続されている調湿装置。
【発明の詳細な説明】
【技術分野】
【０００１】
本発明は、除湿し又は加湿した空気を室内へ供給する調湿装置に関するものである。
【背景技術】
【０００２】
従来より、特許文献１に開示されているように、吸着材を用いて空気の湿度調節を行う調湿装置が知られている。この調湿装置は、吸着材を担持した吸着素子を備えており、吸着素子に空気中の水蒸気を吸着させて空気を除湿する。また、この調湿装置は、冷凍サイクルを行う冷媒回路を備えており、冷媒回路の凝縮器で加熱された空気によって吸着素子を加熱し、吸着素子から脱離した水蒸気で空気を加湿する。そして、上記調湿装置は、除湿された空気と加湿された空気の一方を室内へ供給して他方を室外へ排出する。
【特許文献１】特開２００３−２３２５３９号公報
【発明の開示】
【発明が解決しようとする課題】
【０００３】
上記特許文献１の調湿装置は、調湿した空気を室内へダクトを通じて供給する。そして、調湿された空気を複数の部屋へ分配すれば、１つの調湿装置で複数の部屋の除湿や加湿を行うことができる。その場合、同時に各部屋へ供給されるのは除湿された空気か加湿された空気の一方だけである。
【０００４】
ところが、部屋毎にその使用目的や使用状態が異なることもあり、ある部屋では除湿が必要でも別の部屋では加湿が必要な状況もあり得る。そして、１つの調湿装置から調湿した空気を複数の部屋に分配する場合には、除湿の必要な部屋と加湿の必要な部屋とが混在する状況に対応することができなかった。このため、１つの上記調湿装置を複数の部屋の調湿に用いる場合、この調湿装置は使い勝手の良くないものとなるおそれがあった。
【０００５】
本発明は、かかる点に鑑みてなされたものであり、その目的とするところは、複数の部屋の湿度調節を行う際に使い勝手の良い調湿装置を提供することにある。
【課題を解決するための手段】
【０００６】
第１の発明は、調湿装置を対象としている。そして、除湿した空気を室内へ供給する除湿運転と加湿した空気を室内へ供給する加湿運転とを選択的に行う複数の調湿ユニット（11,12）と、圧縮機（21）が設置される１つの圧縮機ユニット（13）とを備え、上記調湿ユニット（11,12）は、上記圧縮機ユニット（13）に接続されて冷媒回路（15）を形成し、該冷媒回路（15）の冷媒によって吸着材の加熱と冷却の少なくとも一方を行って該吸着材との接触により空気を調湿するように構成されており、何れの上記調湿ユニット（11,12）においても、他の調湿ユニット（11,12）が除湿運転中か加湿運転中かに拘わらず除湿運転と加湿運転のどちらも選択可能となっているものである。
【０００７】
第２の発明は、上記第１の発明において、調湿ユニット（11,12）は、吸着材を担持すると共に冷媒回路（15）に接続される吸着熱交換器（31,32,41,42）を備え、取り込んだ空気を上記吸着熱交換器（31,32,41,42）へ送って吸着材と接触させるものである。
【０００８】
第３の発明は、上記第２の発明において、調湿ユニット（11,12）は、第１空気と第２空気とを取り込み、蒸発器となっている第１の吸着熱交換器（31,41）で第１空気を除湿して凝縮器となっている第２の吸着熱交換器（32,42）で第２空気を加湿する動作と、蒸発器となっている第２の吸着熱交換器（32,42）で第１空気を除湿して凝縮器となっている第１の吸着熱交換器（31,41）で第２空気を加湿する動作とを交互に行い、除湿運転時には除湿された第１空気を室内へ供給して加湿された第２空気を室外へ排出し、加湿運転時には加湿された第２空気を室内へ供給して除湿された第１空気を室外へ排出するものである。
【０００９】
第４の発明は、上記第３の発明において、調湿ユニット（11,12）では、第１の吸着熱交換器（31,41）と膨張機構（33,43）と第２の吸着熱交換器（32,42）とが順に直列接続されて冷媒回路（15）の一部を構成する調湿回路（30,40）が形成される一方、圧縮機ユニット（13）には、上記冷媒回路（15）に接続されて全ての上記調湿回路（30,40）における冷媒の流通方向を反転可能とするための反転機構（22）が設置されるものである。
【００１０】
第５の発明は、上記第３の発明において、調湿ユニット（11,12）では、第１の吸着熱交換器（31,41）と膨張機構（33,43）と第２の吸着熱交換器（32,42）とが順に直列接続されて冷媒回路（15）の一部を構成する調湿回路（30,40）が形成される一方、上記調湿回路（30,40）には、該調湿回路（30,40）おける冷媒の流通方向を反転可能とするための反転機構（34,44）が接続されるものである。
【００１１】
−作用−
上記第１の発明では、１つの圧縮機ユニット（13）と複数の調湿ユニット（11,12）とによって調湿装置（10）が構成される。複数の調湿ユニット（11,12）は、その何れもが圧縮機ユニット（13）に接続されている。互いに接続された調湿ユニット（11,12）と圧縮機ユニット（13）は、冷媒回路（15）を形成している。圧縮機ユニット（13）の圧縮機を運転すると、冷媒回路（15）内で冷媒が循環して冷凍サイクルが行われる。
【００１２】
この発明の調湿装置（10）に設けられた複数の調湿ユニット（11,12）では、それぞれにおいて除湿運転と加湿運転の両方が可能となっている。各調湿ユニット（11,12）は、空気と吸着材の間で水蒸気の授受を行わせることによって空気の調湿を行い、除湿運転中であれば除湿した空気を、加湿運転中であれば加湿した空気をそれぞれ室内へ供給する。その際、調湿ユニット（11,12）は、冷媒回路（15）を流れる冷媒を用いて吸着材の加熱と冷却の何れか一方又は両方を行う。吸着材を加熱すると吸着材からの水蒸気の脱離が促進され、吸着材を冷却すると吸着材への水蒸気の吸着が促進される。
【００１３】
この発明の調湿装置（10）では、調湿ユニット（11,12）毎に除湿運転と加湿運転を個別に設定可能となっている。つまり、調湿装置（10）に設けられた何れの調湿ユニット（11,12）においても、残りの調湿ユニット（11,12）が除湿運転中であろうと加湿運転中であろうと、除湿運転と加湿運転のどちらを行うことも可能となっている。
【００１４】
上記第２の発明では、調湿ユニット（11,12）に吸着熱交換器（31,32,41,42）が設けられる。吸着熱交換器（31,32,41,42）には吸着材が担持されており、この吸着材が吸着熱交換器（31,32,41,42）を通過する空気と接触する。吸着熱交換器（31,32,41,42）は、冷媒回路（15）に接続されている。吸着熱交換器（31,32,41,42）が凝縮器となる状態では、吸着熱交換器（31,32,41,42）に担持された吸着材が冷媒回路（15）の冷媒によって加熱される。吸着熱交換器（31,32,41,42）が蒸発器となる状態では、吸着熱交換器（31,32,41,42）に担持された吸着材が冷媒回路（15）の冷媒によって冷却される。
【００１５】
上記第３の発明では、各調湿ユニット（11,12）に吸着熱交換器（31,32,41,42）が複数設けられる。これら調湿ユニット（11,12）は、それぞれが２つの動作を交互に繰り返す。調湿ユニット（11,12）の一方の動作では、第１の吸着熱交換器（31,41）が蒸発器となって第２の吸着熱交換器（32,42）が凝縮器となり、第１の吸着熱交換器（31,41）で第１空気が除湿されて第２の吸着熱交換器（32,42）で第２空気が加湿される。また、調湿ユニット（11,12）の他方の動作では、第２の吸着熱交換器（32,42）が蒸発器となって第１の吸着熱交換器（31,41）が凝縮器となり、第２の吸着熱交換器（32,42）で第１空気が除湿されて第１の吸着熱交換器（31,41）で第２空気が加湿される。つまり、調湿ユニット（11,12）では、各吸着熱交換器（31,32,41,42）において第１空気の除湿と第２空気の加湿とが交互に行われる。そして、調湿ユニット（11,12）は、吸着熱交換器（31,32,41,42）を通過した第１空気と第２空気の一方を室内へ供給して他方を室外へ排出する。
【００１６】
上記第４及び第５の発明では、各調湿ユニット（11,12）において調湿回路（30,40）が形成される。各調湿ユニット（11,12）の調湿回路（30,40）では、第１の吸着熱交換器（31,41）と膨張機構（33,43）と第２の吸着熱交換器（32,42）とが順に直列に接続される。調湿回路（30,40）において、第１の吸着熱交換器（31,41）から第２の吸着熱交換器（32,42）へ向かって冷媒が流れる状態では、第１の吸着熱交換器（31,41）が凝縮器となって第２の吸着熱交換器（32,42）が蒸発器となる。逆に、第２の吸着熱交換器（32,42）から第１の吸着熱交換器（31,41）へ向かって冷媒が流れる状態では、第２の吸着熱交換器（32,42）が凝縮器となって第１の吸着熱交換器（31,41）が蒸発器となる。
【００１７】
そして、上記第４の発明では、圧縮機ユニット（13）に反転機構（22）が設置される。この反転機構（22）は、冷媒回路（15）に接続されている。全ての調湿ユニット（11,12）の調湿回路（30,40）における冷媒の流通方向は、圧縮機ユニット（13）に設置された反転機構（22）の動作によって反転可能となっている。
【００１８】
一方、上記第５の発明では、各調湿ユニット（11,12）の調湿回路（30,40）に反転機構（34,44）が設けられる。つまり、この発明では、それぞれの調湿回路（30,40）に反転機構（34,44）が設置される。ある調湿ユニット（11,12）において反転機構（34,44）を動作させると、その調湿ユニット（11,12）の調湿回路（30,40）だけにおいて冷媒の流通方向が反転する。
【発明の効果】
【００１９】
本発明では、調湿装置（10）の各調湿ユニット（11,12）において、除湿運転を行うか加湿運転を行うかを独立して選択できるようになっている。このため、それぞれの調湿ユニット（11,12）が互いに別々の部屋へ調湿された空気を供給する場合、各調湿ユニット（11,12）では、それぞれが調湿を担当する部屋の状況に応じて除湿運転と加湿運転のどちらを選択することも可能となる。つまり、同時に除湿の必要な部屋と加湿の必要な部屋とが混在する状況では、除湿の必要な部屋へ空気を供給する調湿ユニット（11,12）で除湿運転を、加湿の必要な部屋へ空気を供給する調湿ユニット（11,12）で加湿運転をそれぞれ行うことができる。従って、本発明によれば、部屋毎の要求に応じた運転を調湿ユニット（11,12）で行うことができ、複数の部屋の湿度調節を行う際に使い勝手の良い調湿装置（10）を提供することができる。
【００２０】
上記第２の発明によれば、冷媒回路（15）に接続された吸着熱交換器（31,32,41,42）に吸着材を担持しているため、吸着材を冷媒回路（15）の冷媒によって効率よく加熱し又は冷却することができる。その結果、吸着材と空気の間で授受される水蒸気の量を増大させることができ、調湿ユニット（11,12）の能力向上あるいは調湿ユニット（11,12）の小型化を図ることができる。
【００２１】
上記第３の発明において、  各調湿ユニット（11,12）は、第１及び第２の吸着熱交換器（31,32,41,42）の一方が水蒸気を吸着する間に他方が再生されるバッチ式の動作を行う。従って、この発明によれば、各調湿ユニット（11,12）において除湿された第１空気と加湿された第２空気とを連続的に生成し、得られた第１空気又は第２空気を継続して室内へ供給することが可能となる。
【００２２】
更に、第３の発明の各調湿ユニット（11,12）では、第１及び第２の吸着熱交換器（31,32,41,42）のうち第１空気を除湿する方が蒸発器となって第２空気を加湿する方が凝縮器となる。このため、蒸発器となっている吸着熱交換器（31,32,41,42）では、冷媒回路（15）の冷媒によって吸着材が冷却され、吸着材に対する空気中の水蒸気の吸着が促進される。また、凝縮器となっている吸着熱交換器（31,32,41,42）では、冷媒回路（15）の冷媒によって吸着材が加熱され、吸着材からの水蒸気の脱離が促進される。従って、この発明によれば、吸着材への水蒸気の吸着と吸着材からの水蒸気の脱離との両方を促進でき、調湿ユニット（11,12）の能力向上あるいは調湿ユニット（11,12）の小型化を図ることができる。
【００２３】
上記第４の発明では、圧縮機ユニット（13）に設置した反転機構（22）によって全ての調湿回路（30,40）における冷媒の流通方向を反転させている。つまり、各調湿ユニット（11,12）での動作切換に伴う調湿回路（30,40）での冷媒流通方向の切り換えを、圧縮機ユニット（13）の反転機構（22）だけで行っている。従って、この発明によれば、冷媒回路（15）に設けられる部品点数を最小限に留めることができ、調湿装置（10）の簡素化を図ることができる。
【００２４】
また、反転機構（22）は、動作する頻度が比較的高くて騒音の発生源となる可能性が高い。これに対し、上記第４の発明では、屋外に設置される場合が多いと想定される圧縮機ユニット（13）に反転機構（22）を設けている。従って、この発明によれば、反転機構（22）の動作に伴う騒音の問題を回避することが可能となる。
【００２５】
上記第５の発明では、それぞれの調湿ユニット（11,12）に反転機構（34,44）を設けている。このため、各調湿ユニット（11,12）の調湿回路（30,40）における冷媒の流通方向を、それぞれの反転機構（34,44）によって個別に設定することができる。従って、この発明によれば、調湿ユニット（11,12）毎に動作の切り換えタイミングを個別に設定することが可能となる。
【発明を実施するための最良の形態】
【００２６】
以下、本発明の実施形態を図面に基づいて詳細に説明する。
【００２７】
《発明の実施形態１》
本発明の実施形態１について説明する。本実施形態は、湿度調節した空気を室内へ供給する調湿装置（10）である。
【００２８】
〈調湿装置の全体構成〉
図１に示すように、上記調湿装置（10）は、第１調湿ユニット（11）と、第２調湿ユニット（12）と、圧縮機ユニットである室外ユニット（13）とを備えている。この調湿装置（10）では、１台の室外ユニット（13）に対して２台の調湿ユニット（11,12）を接続することで冷媒回路（15）が形成されている。尚、室外ユニット（13）に接続される調湿ユニット（11,12）の台数は、３台以上であってもよい。
【００２９】
上記第１調湿ユニット（11）と第２調湿ユニット（12）には、調湿回路（30,40）が１つずつ収納されている。尚、調湿ユニット（11,12）の詳細については後述する。
【００３０】
各調湿ユニット（11,12）の調湿回路（30,40）は、同様に構成されている。具体的に、各調湿回路（30,40）には、吸着熱交換器（31,32,41,42）と閉鎖弁（35,36,45,46）とが２つずつ設けられ、膨張機構である電動膨張弁（33,43）が１つずつ設けられている。各調湿回路（30,40）では、それぞれの一端に第１閉鎖弁（35,45）が、他端に第２閉鎖弁（36,46）がそれぞれ配置されている。また、各調湿回路（30,40）では、第１閉鎖弁（35,45）から第２閉鎖弁（36,46）へ向かって順に、第１吸着熱交換器（31,41）と電動膨張弁（33,43）と第２吸着熱交換器（32,42）とが配置されている。
【００３１】
各調湿回路（30,40）の第１，第２吸着熱交換器（31,32,41,42）は、何れも伝熱管と多数のフィンとで構成されたクロスフィン形のフィン・アンド・チューブ熱交換器である。これら吸着熱交換器（31,32,41,42）では、そのフィンの表面に吸着材が担持されている。この吸着材としては、ゼオライトやシリカゲル等が用いられる。
【００３２】
上記室外ユニット（13）には、室外回路（20）が収納されている。室外回路（20）には、圧縮機（21）と室外側四方切換弁（22）とが設けられている。室外回路（20）において、圧縮機（21）は、その吐出側が室外側四方切換弁（22）の第１のポートに、その吸入側が室外側四方切換弁（22）の第２のポートにそれぞれ接続されている。室外側四方切換弁（22）の第３のポートは、連絡配管を介して各調湿回路（30,40）の第１閉鎖弁（35,45）に接続されている。一方、室外側四方切換弁（22）の第４のポートは、別の連絡配管を介して各調湿回路（30,40）の第２閉鎖弁（36,46）に接続されている。
【００３３】
上記室外側四方切換弁（22）は、第１のポートと第３のポートが互いに連通して第２のポートと第４のポートが互いに連通する第１状態（図１(Ａ)に示す状態）と、第１のポートと第４のポートが互いに連通して第２のポートと第３ポートが互いに連通する第２状態（図１(Ｂ)に示す状態）とに切り換わる。この室外側四方切換弁（22）は、全ての調湿回路（30,40）における冷媒の流通方向を反転させるための反転機構を構成している。
【００３４】
〈調湿ユニットの構成〉
上記第１，第２調湿ユニット（11,12）について、図４，図５を参照しながら説明する。ここでは、第１調湿ユニット（11）の構造について説明するが、第１調湿ユニット（11）の構造と第２調湿ユニット（12）の構造は同じである。尚、ここでの説明で用いる「上」「下」「左」「右」「前」「後」「手前」「奥」は、何れも上記調湿ユニット（11,12）を前面側から見た場合のものを意味している。
【００３５】
上記第１調湿ユニット（11）は、ケーシング（50）を備えている。このケーシング（50）内に上記調湿回路（30,40）が収納されている。
【００３６】
上記ケーシング（50）は、高さの低い扁平な直方体状に形成されている。ケーシング（50）の前面では、右寄りの位置に排気口（54）が、左寄りの位置に給気口（52）がそれぞれ開口している。ケーシング（50）の背面では、右寄りの位置に外気吸込口（51）が、左寄りの位置に内気吸込口（53）がそれぞれ開口している。
【００３７】
ケーシング（50）の内部空間は、前面側と背面側の２つに仕切られている。ケーシング（50）内の前面側の空間は、更に左右に仕切られている。そのうち、右側の空間は排気側流路（65）を構成し、左側の空間は給気側流路（66）を構成している。排気側流路（65）は、内部に排気ファン（81）が収納されると共に、排気口（54）を介して室外に連通している。給気側流路（66）は、内部に給気ファン（82）が収納されると共に、給気口（52）を介して室内に連通している。
【００３８】
ケーシング（50）内の背面側の空間は、左右に３つに仕切られている。そのうち、右側の空間は、上下に仕切られており、上側の空間が右上流路（61）を、下側の空間が右下流路（62）をそれぞれ構成している。右上流路（61）は、排気側流路（65）に連通している。右下流路（62）は、外気吸込口（51）を介して室外に連通している。右上流路（61）及び右下流路（62）は、室外に連通する室外側流路を構成している。一方、左側の空間は、上下に仕切られており、上側の空間が左上流路（63）を、下側の空間が左下流路（64）をそれぞれ構成している。左上流路（63）は、給気側流路（66）に連通している。左下流路（64）は、内気吸込口（53）を介して室内に連通している。左上流路（63）及び左下流路（64）は、室内に連通する室内側流路を構成している。
【００３９】
左右に仕切られたケーシング（50）内の背面側の空間のうち、中央の空間は、前後に仕切られている。この前後に仕切られた中央の空間のうち、前面側の空間には第１吸着熱交換器（31）が、背面側の空間には第２吸着熱交換器（32）がそれぞれ収納されている。第１吸着熱交換器（31）及び第２吸着熱交換器（32）は、収納された空間を上下に仕切るように、ほぼ水平姿勢で設置されている。
【００４０】
ケーシング（50）内の背面側を左右に仕切る２枚の仕切板には、それぞれに開閉式のダンパ（71〜78）が４つずつ設けられている。
【００４１】
右側の仕切板において、その上部には第１右上ダンパ（71）と第２右上ダンパ（72）が並んで設置され、その下部には第１右下ダンパ（73）と第２右下ダンパ（74）が並んで設置される。第１右上ダンパ（71）は、第１吸着熱交換器（31）の上側の空間と右上流路（61）の間を断続する。第２右上ダンパ（72）は、第２吸着熱交換器（32）の上側の空間と右上流路（61）の間を断続する。第１右下ダンパ（73）は、第１吸着熱交換器（31）の下側の空間と右下流路（62）の間を断続する。第２右下ダンパ（74）は、第２吸着熱交換器（32）の下側の空間と右下流路（62）の間を断続する。
【００４２】
左側の仕切板において、その上部には第１左上ダンパ（75）と第２左上ダンパ（76）が並んで設置され、その下部には第１左下ダンパ（77）と第２左下ダンパ（78）が並んで設置される。第１左上ダンパ（75）を開くと左上流路（63）が第１吸着熱交換器（31）の上側の空間と連通し、第２左上ダンパ（76）を開くと左上流路（63）が第２吸着熱交換器（32）の上側の空間と連通する。第１左下ダンパ（77）を開くと左下流路（64）が第１吸着熱交換器（31）の下側の空間と連通し、第２左下ダンパ（78）を開くと左下流路（64）が第２吸着熱交換器（32）の下側の空間と連通する。
【００４３】
−運転動作−
上記調湿装置（10）では、各調湿ユニット（11,12）において除湿運転と加湿運転を選択的に行うことができる。
【００４４】
具体的には、図１に示すように、第１調湿ユニット（11）と第２調湿ユニット（12）の両方で除湿運転を行うことができる。また、図２に示すように、第１調湿ユニット（11）と第２調湿ユニット（12）の両方で加湿運転を行うこともできる。また、図３に示すように、第１調湿ユニット（11）と第２調湿ユニット（12）の一方で除湿運転を、他方で加湿運転をそれぞれ行うこともできる。尚、図３では、第１調湿ユニット（11）で除湿運転を行って第２調湿ユニット（12）で加湿運転を行う状態を示している。
【００４５】
〈調湿装置の動作〉
図１〜図３に示すように、各調湿ユニット（11,12）における除湿運転中と加湿運転中のどちらにおいても、冷媒回路（15）では第１動作と第２動作が交互に繰り返される。
【００４６】
先ず、冷媒回路（15）の第１動作について、図１(Ａ)，図２(Ａ)，図３(Ａ)を参照しながら説明する。この第１動作では、室外側四方切換弁（22）が第１状態に設定される。そして、各調湿ユニット（11,12）の調湿回路（30,40）では、第１吸着熱交換器（31,41）が凝縮器となって第２吸着熱交換器（32,42）が蒸発器となる。
【００４７】
具体的に、圧縮機（21）から吐出された冷媒は、室外側四方切換弁（22）を通過し、各調湿ユニット（11,12）における調湿回路（30,40）の第１閉鎖弁（35,45）側へ導入される。調湿回路（30,40）へ導入された冷媒は、第１吸着熱交換器（31,41）へ流入し、放熱して凝縮する。第１吸着熱交換器（31,41）では、冷媒で加熱された吸着材から水分が脱離し、この脱離した水分が第２空気に付与される。第１吸着熱交換器（31,41）で凝縮した冷媒は、電動膨張弁（33,43）を通過する際に減圧されてから第２吸着熱交換器（32,42）へ導入される。第２吸着熱交換器（32,42）では、第１空気中の水分が吸着材に吸着され、その際に生じた吸着熱を冷媒が吸熱して蒸発する。各調湿回路（30,40）の第２吸着熱交換器（32,42）で蒸発した冷媒は、合流後に室外側四方切換弁（22）を通過し、圧縮機（21）に吸入されて圧縮される。
【００４８】
次に、冷媒回路（15）の第２動作について、図１(Ｂ)，図２(Ｂ)，図３(Ｂ)を参照しながら説明する。この第２動作では、室外側四方切換弁（22）が第２状態に設定される。そして、各調湿ユニット（11,12）の調湿回路（30,40）では、第２吸着熱交換器（32,42）が凝縮器となって第１吸着熱交換器（31,41）が蒸発器となる。
【００４９】
具体的に、圧縮機（21）から吐出された冷媒は、室外側四方切換弁（22）を通過し、各調湿ユニット（11,12）における調湿回路（30,40）の第２閉鎖弁（36,46）側へ導入される。調湿回路（30,40）へ導入された冷媒は、第２吸着熱交換器（32,42）へ流入し、放熱して凝縮する。第２吸着熱交換器（32,42）では、冷媒で加熱された吸着材から水分が脱離し、この脱離した水分が第２空気に付与される。第２吸着熱交換器（32,42）で凝縮した冷媒は、電動膨張弁（33,43）を通過する際に減圧されてから第１吸着熱交換器（31,41）へ導入される。第１吸着熱交換器（31,41）では、第１空気中の水分が吸着材に吸着され、その際に生じた吸着熱を冷媒が吸熱して蒸発する。各調湿回路（30,40）の第１吸着熱交換器（31,41）で蒸発した冷媒は、合流後に室外側四方切換弁（22）を通過し、圧縮機（21）に吸入されて圧縮される。
【００５０】
上述した通り、各調湿ユニット（11,12）では、第１吸着熱交換器（31,41）と第２吸着熱交換器（32,42）のうち蒸発器となっている方で第１空気が除湿され、凝縮器となっている方で第２空気が加湿される。そして、調湿ユニット（11,12）は、除湿運転中であれば除湿された第１空気を室内へ供給して加湿された第２空気を室外へ排出し（図１を参照）、加湿運転中であれば加湿された第２空気を室内へ供給して除湿された第１空気を室外へ排出する（図２を参照）。
【００５１】
このように、各調湿ユニット（11,12）では、吸着熱交換器（31,32,41,42）を通過した第１空気と第２空気の送り先を変更することによって、除湿運転と加湿運転の切り換えが可能である。そして、調湿ユニット（11,12）毎に第１空気と第２空気の送り先が異なるように設定すれば、図３に示すように、一方の調湿ユニット（11）で除湿運転を行って、他方の調湿ユニット（12）で加湿運転を行うことも可能である。
【００５２】
〈調湿ユニットの運転動作〉
上述のように、第１調湿ユニット（11）と第２調湿ユニット（12）は構造が共通しており、両者の運転動作も共通する。ここでは、第１調湿ユニット（11）の動作について説明し、第２調湿ユニット（12）の動作についての説明は省略する。尚、第１調湿ユニット（11）は、第１の部屋から空気を吸い込み、この第１の部屋へ調湿した空気を供給する。一方、第２調湿ユニット（12）は、第２の部屋から空気を吸い込み、この第２の部屋へ調湿した空気を供給する。
【００５３】
上記第１調湿ユニット（11）の除湿運転について、図６，図７を参照しながら説明する。除湿運転時において、給気ファン（82）を運転すると、室外空気が外気吸込口（51）からケーシング（50）内へ第１空気として取り込まれる。また、排気ファン（81）を運転すると、室内空気が内気吸込口（53）からケーシング（50）内へ第２空気として取り込まれる。
【００５４】
除湿運転時の第１動作では、上述したように、第１吸着熱交換器（31）が凝縮器となって第２吸着熱交換器（32）が蒸発器となる。そして、第１調湿ユニット（11）では、第２吸着熱交換器（32）についての吸着動作と、第１吸着熱交換器（31）についての再生動作とが行われる。
【００５５】
この第１動作中には、図６に示すように、第１右上ダンパ（71）及び第２右下ダンパ（74）が開状態となり、第１右下ダンパ（73）及び第２右上ダンパ（72）が閉状態となる。また、第１左下ダンパ（77）及び第２左上ダンパ（76）が開状態となり、第１左上ダンパ（75）及び第２左下ダンパ（78）が閉状態となる。
【００５６】
外気吸込口（51）から右下流路（62）へ流入した第１空気は、第２右下ダンパ（74）を通って第２吸着熱交換器（32）の下側へ流入し、第２吸着熱交換器（32）を下から上へ向かって通過する。第２吸着熱交換器（32）では、第１空気中の水分が吸着材に吸着されて第１空気が除湿され、その際に生じた吸着熱が冷媒に吸熱される。第２吸着熱交換器（32）で除湿された第１空気は、第２左上ダンパ（76）を通って左上流路（63）へ流入し、給気側流路（66）を通過後に給気口（52）から室内へ供給される。
【００５７】
内気吸込口（53）から左下流路（64）へ流入した第２空気は、第１左下ダンパ（77）を通って第１吸着熱交換器（31）の下側へ流入し、第１吸着熱交換器（31）を下から上へ向かって通過する。第１吸着熱交換器（31）では、冷媒で加熱された吸着材から水分が脱離し、この脱離した水分が第２空気に付与される。第１吸着熱交換器（31）から脱離した水分は、第２空気と共に第１右上ダンパ（71）を通って右上流路（61）へ流入し、排気側流路（65）を通過後に排気口（54）から室外へ排出される。
【００５８】
除湿運転時の第２動作では、上述したように、第２吸着熱交換器（32）が凝縮器となって第１吸着熱交換器（31）が蒸発器となる。そして、第１調湿ユニット（11）では、第１吸着熱交換器（31）についての吸着動作と、第２吸着熱交換器（32）についての再生動作とが行われる。
【００５９】
この第２動作中には、図７に示すように、第１右下ダンパ（73）及び第２右上ダンパ（72）が開状態となり、第１右上ダンパ（71）及び第２右下ダンパ（74）が閉状態となる。また、第１左上ダンパ（75）及び第２左下ダンパ（78）が開状態となり、第１左下ダンパ（77）及び第２左上ダンパ（76）が閉状態となる。
【００６０】
外気吸込口（51）から右下流路（62）へ流入した第１空気は、第１右下ダンパ（73）を通って第１吸着熱交換器（31）の下側へ流入し、第１吸着熱交換器（31）を下から上へ向かって通過する。第１吸着熱交換器（31）では、第１空気中の水分が吸着材に吸着されて第１空気が除湿され、その際に生じた吸着熱が冷媒に吸熱される。第１吸着熱交換器（31）で除湿された第１空気は、第１左上ダンパ（75）を通って左上流路（63）へ流入し、給気側流路（66）を通過後に給気口（52）から室内へ供給される。
【００６１】
内気吸込口（53）から左下流路（64）へ流入した第２空気は、第２左下ダンパ（78）を通って第２吸着熱交換器（32）の下側へ流入し、第２吸着熱交換器（32）を下から上へ向かって通過する。第２吸着熱交換器（32）では、冷媒で加熱された吸着材から水分が脱離し、この脱離した水分が第２空気に付与される。第２吸着熱交換器（32）から脱離した水分は、第２空気と共に第２右上ダンパ（72）を通って右上流路（61）へ流入し、排気側流路（65）を通過後に排気口（54）から室外へ排出される。
【００６２】
上記第１調湿ユニット（11）の加湿運転について、図８，図９を参照しながら説明する。加湿運転時において、給気ファン（82）を運転すると、室外空気が外気吸込口（51）からケーシング（50）内へ第２空気として取り込まれる。また、排気ファン（81）を運転すると、室内空気が内気吸込口（53）からケーシング（50）内へ第１空気として取り込まれる。
【００６３】
加湿運転時の第１動作では、上述したように、第１吸着熱交換器（31）が凝縮器となって第２吸着熱交換器（32）が蒸発器となる。そして、第１調湿ユニット（11）では、第２吸着熱交換器（32）についての吸着動作と、第１吸着熱交換器（31）についての再生動作とが行われる。
【００６４】
この第１動作中には、図８に示すように、第１右下ダンパ（73）及び第２右上ダンパ（72）が開状態となり、第１右上ダンパ（71）及び第２右下ダンパ（74）が閉状態となる。また、第１左上ダンパ（75）及び第２左下ダンパ（78）が開状態となり、第１左下ダンパ（77）及び第２左上ダンパ（76）が閉状態となる。
【００６５】
内気吸込口（53）から左下流路（64）へ流入した第１空気は、第２左下ダンパ（78）を通って第２吸着熱交換器（32）の下側へ流入し、第２吸着熱交換器（32）を下から上へ向かって通過する。第２吸着熱交換器（32）では、第１空気中の水分が吸着材に吸着されて第１空気が除湿され、その際に生じた吸着熱が冷媒に吸熱される。第２吸着熱交換器（32）で水分を奪われた第１空気は、第２右上ダンパ（72）を通って右上流路（61）へ流入し、排気側流路（65）を通過後に排気口（54）から室外へ排出される。
【００６６】
外気吸込口（51）から右下流路（62）へ流入した第２空気は、第１右下ダンパ（73）を通って第１吸着熱交換器（31）の下側へ流入し、第１吸着熱交換器（31）を下から上へ向かって通過する。第１吸着熱交換器（31）では、冷媒で加熱された吸着材から水分が脱離し、この脱離した水分が第２空気に付与される。第１吸着熱交換器（31）で加湿された第２空気は、第１左上ダンパ（75）を通って左上流路（63）へ流入し、給気側流路（66）を通過後に給気口（52）から室内へ供給される。
【００６７】
加湿運転時の第２動作では、上述したように、第２吸着熱交換器（32）が凝縮器となって第１吸着熱交換器（31）が蒸発器となる。そして、第１調湿ユニット（11）では、第１吸着熱交換器（31）についての吸着動作と、第２吸着熱交換器（32）についての再生動作とが行われる。
【００６８】
この第２動作中には、図９に示すように、第１右上ダンパ（71）及び第２右下ダンパ（74）が開状態となり、第１右下ダンパ（73）及び第２右上ダンパ（72）が閉状態となる。また、第１左下ダンパ（77）及び第２左上ダンパ（76）が開状態となり、第１左上ダンパ（75）及び第２左下ダンパ（78）が閉状態となる。
【００６９】
内気吸込口（53）から左下流路（64）へ流入した第１空気は、第１左下ダンパ（77）を通って第１吸着熱交換器（31）の下側へ流入し、第１吸着熱交換器（31）を下から上へ向かって通過する。第１吸着熱交換器（31）では、第１空気中の水分が吸着材に吸着されて第１空気が除湿され、その際に生じた吸着熱が冷媒に吸熱される。第１吸着熱交換器（31）で水分を奪われた第１空気は、第１右上ダンパ（71）を通って右上流路（61）へ流入し、排気側流路（65）を通過後に排気口（54）から室外へ排出される。
【００７０】
外気吸込口（51）から右下流路（62）へ流入した第２空気は、第２右下ダンパ（74）を通って第２吸着熱交換器（32）の下側へ流入し、第２吸着熱交換器（32）を下から上へ向かって通過する。第２吸着熱交換器（32）では、冷媒で加熱された吸着材から水分が脱離し、この脱離した水分が第２空気に付与される。第２吸着熱交換器（32）で加湿された第２空気は、第２左上ダンパ（76）を通って左上流路（63）へ流入し、給気側流路（66）を通過後に給気口（52）から室内へ供給される。
【００７１】
−実施形態１の効果−
本実施形態の調湿装置（10）では、各調湿ユニット（11,12）において、除湿運転を行うか加湿運転を行うかを独立して選択できるようになっている。このため、それぞれの調湿ユニット（11,12）が別々の部屋へ調湿された空気を供給する場合、各調湿ユニット（11,12）では、それぞれが調湿を担当する部屋の状況に応じて除湿運転と加湿運転のどちらを選択することも可能となる。つまり、同時に除湿の必要な部屋と加湿の必要な部屋とが混在する状況では、除湿の必要な部屋へ空気を供給する調湿ユニット（11,12）で除湿運転を、加湿の必要な部屋へ空気を供給する調湿ユニット（11,12）で加湿運転をそれぞれ行うことができる。従って、本実施形態によれば、部屋毎の要求に応じた運転を調湿ユニット（11,12）で行うことができ、複数の部屋の湿度調節を行う際に使い勝手の良い調湿装置（10）を提供することができる。
【００７２】
また、本実施形態によれば、冷媒回路（15）に接続された吸着熱交換器（31,32,41,42）に吸着材を担持しているため、吸着材を冷媒回路（15）の冷媒によって効率よく加熱し又は冷却することができる。その結果、吸着材と空気の間で授受される水蒸気の量を増大させることができ、調湿ユニット（11,12）の能力向上あるいは調湿ユニット（11,12）の小型化を図ることができる。
【００７３】
また、本実施形態の調湿ユニット（11,12）は、調湿回路（30,40）に設けられた第１及び第２吸着熱交換器（31,32,41,42）の一方が水蒸気を吸着する間に他方が再生されるバッチ式の動作を行うようにしている。従って、本実施形態によれば、調湿ユニット（11,12）で除湿された第１空気と加湿された第２空気とを連続的に生成し、得られた第１空気又は第２空気を継続して室内へ供給することが可能となる。
【００７４】
また、本実施形態の調湿ユニット（11,12）では、第１及び第２吸着熱交換器（31,32,41,42）のうち第１空気を除湿する方が蒸発器となって第２空気を加湿する方が凝縮器となる。このため、蒸発器となっている吸着熱交換器（31,32,41,42）では、冷媒回路（15）の冷媒によって吸着材が冷却され、吸着材に対する空気中の水蒸気の吸着が促進される。また、凝縮器となっている吸着熱交換器（31,32,41,42）では、冷媒回路（15）の冷媒によって吸着材が加熱され、吸着材からの水蒸気の脱離が促進される。従って、この発明によれば、吸着材への水蒸気の吸着と吸着材からの水蒸気の脱離との両方を促進でき、調湿ユニット（11,12）の能力向上あるいは調湿ユニット（11,12）の小型化を図ることができる。
【００７５】
また、本実施形態では、室外ユニット（13）に設置した室外側四方切換弁（22）によって全ての調湿回路（30,40）における冷媒の流通方向を反転させている。つまり、各調湿ユニット（11,12）での動作切換に伴う調湿回路（30,40）での冷媒流通方向の切り換えを、室外ユニット（13）の室外側四方切換弁（22）だけで行っている。従って、本実施形態によれば、冷媒回路（15）に設けられる部品点数を最小限に留めることができ、調湿装置（10）の簡素化を図ることができる。
【００７６】
また、室外側四方切換弁（22）は、例えば４〜５分毎に１回程度の比較的高い頻度で切り換わるものであり、騒音の発生源となる可能性が高い。これに対し、本実施形態では、屋外に設置される室外ユニット（13）に室外側四方切換弁（22）を設けている。従って、本実施形態によれば、室外側四方切換弁（22）の動作に伴う騒音の問題を回避することが可能となる。
【００７７】
−実施形態１の変形例１−
上記各調湿ユニット（11,12）の除湿運転では、室外空気を第１空気として取り込んで室内へ供給すると共に、室内空気を第２空気として取り込んで室外へ排出し、除湿した第１空気を室内へ供給すると同時に室内の換気も行っている。
【００７８】
これに対し、上記各調湿ユニット（11,12）の除湿運転では、室内の換気は行わずに除湿した第１空気の供給だけを行うようにしてもよい。この除湿運転中における調湿ユニット（11,12）の動作について、第１調湿ユニット（11）を例に説明する。
【００７９】
この除湿運転時において、給気ファン（82）を運転すると、室内空気が内気吸込口（53）からケーシング（50）内へ第１空気として取り込まれる。また、排気ファン（81）を運転すると、室外空気が外気吸込口（51）からケーシング（50）内へ第２空気として取り込まれる。この除湿運転中においても、第１調湿ユニット（11）では第１動作と第２動作が交互に繰り返される。
【００８０】
第１動作では、図１０に示すように、第１右上ダンパ（71）及び第１右下ダンパ（73）が開状態となり、第２右上ダンパ（72）及び第２右下ダンパ（74）が閉状態となる。また、第２左上ダンパ（76）及び第２左下ダンパ（78）が開状態となり、第１左上ダンパ（75）及び第１左下ダンパ（77）が閉状態となる。また、第１動作中には、第１吸着熱交換器（31）が凝縮器となって第２吸着熱交換器（32）が蒸発器となる。
【００８１】
内気吸込口（53）から左下流路（64）へ流入した第１空気は、第２左下ダンパ（78）を通って第２吸着熱交換器（32）へ流入し、この第２吸着熱交換器（32）を通過する間に除湿される。除湿された第１空気は、第２左上ダンパ（76）を通って左上流路（63）へ流入し、給気側流路（66）を通過後に給気口（52）から室内へ供給される。
【００８２】
外気吸込口（51）から右下流路（62）へ流入した第２空気は、第１右下ダンパ（73）を通って第１吸着熱交換器（31）へ流入し、この第１吸着熱交換器（31）から脱離した水分を付与される。水分を付与された第２空気は、第１右上ダンパ（71）を通って右上流路（61）へ流入し、排気側流路（65）を通過後に排気口（54）から室外へ排出される。
【００８３】
第２動作では、図１１に示すように、第２右上ダンパ（72）及び第２右下ダンパ（74）が開状態となり、第１右上ダンパ（71）及び第１右下ダンパ（73）が閉状態となる。また、第１左上ダンパ（75）及び第１左下ダンパ（77）が開状態となり、第２左上ダンパ（76）及び第２左下ダンパ（78）が閉状態となる。また、第２動作中には、第２吸着熱交換器（32）が凝縮器となって第１吸着熱交換器（31）が蒸発器となる。
【００８４】
内気吸込口（53）から左下流路（64）へ流入した第１空気は、第１左下ダンパ（77）を通って第１吸着熱交換器（31）へ流入し、この第１吸着熱交換器（31）を通過する間に除湿される。除湿された第１空気は、第１左上ダンパ（75）を通って左上流路（63）へ流入し、給気側流路（66）を通過後に給気口（52）から室内へ供給される。
【００８５】
外気吸込口（51）から右下流路（62）へ流入した第２空気は、第２右下ダンパ（74）を通って第２吸着熱交換器（32）へ流入し、この第２吸着熱交換器（32）から脱離した水分を付与される。水分を付与された第２空気は、第２右上ダンパ（72）を通って右上流路（61）へ流入し、排気側流路（65）を通過後に排気口（54）から室外へ排出される。
【００８６】
−実施形態１の変形例２−
上記各調湿ユニット（11,12）の加湿運転では、室外空気を第２空気として取り込んで室内へ供給すると共に、室内空気を第１空気として取り込んで室外へ排出し、加湿した第２空気を室内へ供給すると同時に室内の換気も行っている。
【００８７】
これに対し、上記各調湿ユニット（11,12）の加湿運転では、室内の換気は行わずに加湿した第２空気の供給だけを行うようにしてもよい。この加湿運転中における調湿ユニット（11,12）の動作について、第１調湿ユニット（11）を例に説明する。
【００８８】
この加湿運転時において、給気ファン（82）を運転すると、室内空気が内気吸込口（53）からケーシング（50）内へ第２空気として取り込まれる。また、排気ファン（81）を運転すると、室外空気が外気吸込口（51）からケーシング（50）内へ第１空気として取り込まれる。この加湿運転中においても、第１調湿ユニット（11）では第１動作と第２動作が交互に繰り返される。
【００８９】
第１動作では、図１２に示すように、第２右上ダンパ（72）及び第２右下ダンパ（74）が開状態となり、第１右上ダンパ（71）及び第１右下ダンパ（73）が閉状態となる。また、第１左上ダンパ（75）及び第１左下ダンパ（77）が開状態となり、第２左上ダンパ（76）及び第２左下ダンパ（78）が閉状態となる。また、第１動作中には、第１吸着熱交換器（31）が凝縮器となって第２吸着熱交換器（32）が蒸発器となる。
【００９０】
外気吸込口（51）から右下流路（62）へ流入した第１空気は、第２右下ダンパ（74）を通って第２吸着熱交換器（32）へ流入し、この第２吸着熱交換器（32）を通過する間に水分を奪われる。水分を奪われた第１空気は、第２右上ダンパ（72）を通って右上流路（61）へ流入し、排気側流路（65）を通過後に排気口（54）から室外へ排出される。
【００９１】
内気吸込口（53）から左下流路（64）へ流入した第２空気は、第１左下ダンパ（77）を通って第１吸着熱交換器（31）へ流入し、この第１吸着熱交換器（31）を通過する間に加湿される。加湿された第２空気は、第１左上ダンパ（75）を通って左上流路（63）へ流入し、給気側流路（66）を通過後に給気口（52）から室内へ供給される。
【００９２】
第２動作では、図１３に示すように、第１右上ダンパ（71）及び第１右下ダンパ（73）が開状態となり、第２右上ダンパ（72）及び第２右下ダンパ（74）が閉状態となる。また、第２左上ダンパ（76）及び第２左下ダンパ（78）が開状態となり、第１左上ダンパ（75）及び第１左下ダンパ（77）が閉状態となる。また、第２動作中には、第２吸着熱交換器（32）が凝縮器となって第１吸着熱交換器（31）が蒸発器となる。
【００９３】
外気吸込口（51）から右下流路（62）へ流入した第１空気は、第１右下ダンパ（73）を通って第１吸着熱交換器（31）へ流入し、この第１吸着熱交換器（31）を通過する間に水分を奪われる。水分を奪われた第１空気は、第１右上ダンパ（71）を通って右上流路（61）へ流入し、排気側流路（65）を通過後に排気口（54）から室外へ排出される。
【００９４】
内気吸込口（53）から左下流路（64）へ流入した第２空気は、第２左下ダンパ（78）を通って第２吸着熱交換器（32）へ流入し、この第２吸着熱交換器（32）を通過する間に加湿される。加湿された第２空気は、第２左上ダンパ（76）を通って左上流路（63）へ流入し、給気側流路（66）を通過後に給気口（52）から室内へ供給される。
【００９５】
−実施形態１の変形例３−
上記各調湿ユニット（11,12）では、室外から室内への給気だけを行う運転を除湿運転や加湿運転として行うようにしてもよい。この給気のみを行う除湿運転中や加湿運転中における調湿ユニット（11,12）の動作について、第１調湿ユニット（11）を例に説明する。
【００９６】
給気のみを行う除湿運転と加湿運転のそれぞれにおいて、給気ファン（82）及び排気ファン（81）を運転すると、室外空気だけが外気吸込口（51）からケーシング（50）内へ取り込まれる。また、給気のみを行う除湿運転と加湿運転のそれぞれにおいて、第１吸着熱交換器（31）が凝縮器となって第２吸着熱交換器（32）が蒸発器となる第１動作と、第２吸着熱交換器（32）が凝縮器となって第１吸着熱交換器（31）が蒸発器となる第２動作とが交互に繰り返される。
【００９７】
先ず、給気のみを行う除湿運転について説明する。ケーシング（50）内へ取り込まれた室外空気は、その一部が第１空気として蒸発器となっている吸着熱交換器（31,32）へ、残りが第２空気として凝縮器となっている吸着熱交換器（31,32）へそれぞれ導入される。そして、第１調湿ユニット（11）は、２つの吸着熱交換器（31,32）のうち蒸発器となっている方で除湿された第１空気を室内へ供給し、凝縮器となっている方で加湿された第２空気を室外へ排出する。
【００９８】
例えば、この除湿運転の第２動作では、図１４に示すように、第２右上ダンパ（72）、第１右下ダンパ（73）及び第２右下ダンパ（74）が開状態となり、第１右上ダンパ（71）が閉状態となる。また、第１左上ダンパ（75）が開状態となり、第２左上ダンパ（76）、第１左下ダンパ（77）及び第２左下ダンパ（78）が閉状態となる。ケーシング（50）内において、第１空気は、第１右下ダンパ（73）、第１吸着熱交換器（31）、第１左上ダンパ（75）の順に流れ、給気口（52）から室内へ供給される。一方、第２空気は、第２右下ダンパ（74）、第２吸着熱交換器（32）、第２右上ダンパ（72）の順に流れ、排気口（54）から室外へ排出される。
【００９９】
次に、給気のみを行う加湿運転について説明する。ケーシング（50）内へ取り込まれた室外空気は、その一部が第１空気として蒸発器となっている吸着熱交換器（31,32）へ、残りが第２空気として凝縮器となっている吸着熱交換器（31,32）へそれぞれ導入される。そして、第１調湿ユニット（11）は、２つの吸着熱交換器（31,32）のうち蒸発器となっている方で除湿された第１空気を室外へ排出し、凝縮器となっている方で加湿された第２空気を室内へ供給する。
【０１００】
例えば、この加湿運転の第２動作では、図１５に示すように、第１右上ダンパ（71）、第１右下ダンパ（73）及び第２右下ダンパ（74）が開状態となり、第２右上ダンパ（72）が閉状態となる。また、第２左上ダンパ（76）が開状態となり、第１左上ダンパ（75）、第１左下ダンパ（77）及び第２左下ダンパ（78）が閉状態となる。ケーシング（50）内において、第１空気は、第１右下ダンパ（73）、第１吸着熱交換器（31）、第１右上ダンパ（71）の順に流れ、排気口（54）から室外へ排出される。一方、第２空気は、第２右下ダンパ（74）、第２吸着熱交換器（32）、第２左上ダンパ（76）の順に流れ、給気口（52）から室内へ供給される。
【０１０１】
−実施形態１の変形例４−
上記各調湿ユニット（11,12）では、室内から室外への排気だけを行う運転を除湿運転や加湿運転として行うようにしてもよい。この排気のみを行う除湿運転中や加湿運転中における調湿ユニット（11,12）の動作について、第１調湿ユニット（11）を例に説明する。
【０１０２】
排気のみを行う除湿運転と加湿運転のそれぞれにおいて、給気ファン（82）及び排気ファン（81）を運転すると、室内空気だけが内気吸込口（53）からケーシング（50）内へ取り込まれる。また、排気のみを行う除湿運転と加湿運転のそれぞれにおいて、第１吸着熱交換器（31）が凝縮器となって第２吸着熱交換器（32）が蒸発器となる第１動作と、第２吸着熱交換器（32）が凝縮器となって第１吸着熱交換器（31）が蒸発器となる第２動作とが交互に繰り返される。
【０１０３】
先ず、排気のみを行う除湿運転について説明する。ケーシング（50）内へ取り込まれた室内空気は、その一部が第１空気として蒸発器となっている吸着熱交換器（31,32）へ、残りが第２空気として凝縮器となっている吸着熱交換器（31,32）へそれぞれ導入される。そして、第１調湿ユニット（11）は、２つの吸着熱交換器（31,32）のうち蒸発器となっている方で除湿された第１空気を室内へ供給し、凝縮器となっている方で加湿された第２空気を室外へ排出する。
【０１０４】
例えば、この除湿運転の第２動作では、図１６に示すように、第２右上ダンパ（72）が開状態となり、第１右上ダンパ（71）、第１右下ダンパ（73）及び第２右下ダンパ（74）が閉状態となる。また、第１左上ダンパ（75）、第１左下ダンパ（77）及び第２左下ダンパ（78）が開状態となり、第２左上ダンパ（76）が閉状態となる。ケーシング（50）内において、第１空気は、第１左下ダンパ（77）、第１吸着熱交換器（31）、第１左上ダンパ（75）の順に流れ、給気口（52）から室内へ供給される。一方、第２空気は、第２左下ダンパ（78）、第２吸着熱交換器（32）、第２右上ダンパ（72）の順に流れ、排気口（54）から室外へ排出される。
【０１０５】
次に、排気のみを行う加湿運転について説明する。ケーシング（50）内へ取り込まれた室内空気は、その一部が第１空気として蒸発器となっている吸着熱交換器（31,32）へ、残りが第２空気として凝縮器となっている吸着熱交換器（31,32）へそれぞれ導入される。そして、第１調湿ユニット（11）は、２つの吸着熱交換器（31,32）のうち蒸発器となっている方で除湿された第１空気を室外へ排出し、凝縮器となっている方で加湿された第２空気を室内へ供給する。
【０１０６】
例えば、この加湿運転の第２動作では、図１７に示すように、第１右上ダンパ（71）が開状態となり、第２右上ダンパ（72）、第１右下ダンパ（73）及び第２右下ダンパ（74）が閉状態となる。また、第２左上ダンパ（76）、第１左下ダンパ（77）及び第２左下ダンパ（78）が開状態となり、第１左上ダンパ（75）が閉状態となる。ケーシング（50）内において、第１空気は、第１左下ダンパ（77）、第１吸着熱交換器（31）、第１右上ダンパ（71）の順に流れ、排気口（54）から室外へ排出される。一方、第２空気は、第２左下ダンパ（78）、第２吸着熱交換器（32）、第２左上ダンパ（76）の順に流れ、給気口（52）から室内へ供給される。
【０１０７】
−実施形態１の変形例５−
上記調湿装置（10）では、各調湿ユニット（11,12）において次のような運転を行ってもよい。
【０１０８】
上述のように、上記各調湿ユニット（11,12）では、除湿運転中や加湿運転中に室外から室内への給気と室内から室外への排気を行うようにしている。その際、室内への給気量と室内からの排気量は原則的に等しく設定されるが、両者を異なる値に設定してもよい。例えば、隙間風などによって室内へ外気が侵入するのを防止したい場合は、室内が陽圧となるように給気量を排気量よりも大きな値に設定する。また、室内空気が室外へ漏れ出すのを防止したい場合は、室内が陰圧となるように排気量を給気量よりも大きな値に設定する。
【０１０９】
また、上記各調湿ユニット（11,12）では、電動膨張弁（33,43）を全閉して調湿回路（30,40）における冷媒の流通を遮断し、その状態で給気ファン（82）と排気ファン（81）とを運転して換気だけを行う単純換気運転を行ってもよい。例えば、春期や秋期のような中間期には室内の湿度調節が不要な場合もあるが、室内の換気は１年を通じて必要である。そこで、このような湿度調節が不要な時期には、単純換気運転を行うことで調湿装置（10）の消費電力を抑制できる。
【０１１０】
また、上記各調湿ユニット（11,12）では、湿度は調節せずに温度だけを調節した空気を室内へ供給する空調運転を行ってもよい。この調湿ユニット（11,12）の空調運転中には、２つの吸着熱交換器（31,32,41,42）のうち蒸発器となっている方を通過した空気が室内へ、凝縮器となっている方を通過した空気が室外へそれぞれ送られるように各ダンパ（71〜78）の開閉状態を設定すれば、吸着熱交換器（31,32,41,42）で冷却された空気が室内へ供給されて冷房が行われる。逆に、２つの吸着熱交換器（31,32,41,42）のうち凝縮器となっている方を通過した空気が室内へ、蒸発器となっている方を通過した空気が室外へそれぞれ送られるように各ダンパ（71〜78）の開閉状態を設定すれば、吸着熱交換器（31,32,41,42）で加熱された空気が室内へ供給されて暖房が行われる。
【０１１１】
《発明の実施形態２》
本発明の実施形態２について説明する。本実施形態は、上記実施形態１の調湿装置（10）において、室外回路（20）と各調湿回路（30,40）の構成を変更したものである。また、本実施形態の調湿装置（10）では、室外回路（20）と調湿回路（30,40）の構成変更に伴って冷媒回路（15）の構成も上記実施形態１のものと相違している。ここでは、上記調湿装置（10）について、上記実施形態１と異なる点を説明する。
【０１１２】
図１８に示すように、本実施形態の各調湿回路（30,40）には、調湿側四方切換弁（34,44）が１つずつ追加されている。調湿側四方切換弁（34,44）は、調湿回路（30,40）での冷媒の流通方向を反転させるための反転機構を構成している。
【０１１３】
各調湿回路（30,40）において、第１閉鎖弁（35,45）は調湿側四方切換弁（34,44）の第１のポートに接続され、第２閉鎖弁（36,46）は調湿側四方切換弁（34,44）の第２のポートに接続されている。また、各調湿回路（30,40）では、調湿側四方切換弁（34,44）の第３のポートから第４のポートへ向かって順に、第１吸着熱交換器（31,41）と電動膨張弁（33,43）と第２吸着熱交換器（32,42）とが配置されている。
【０１１４】
各調湿回路（30,40）の調湿側四方切換弁（34,44）は、第１のポートと第３のポートが互いに連通して第２のポートと第４のポートが互いに連通する第１状態（図１８(Ａ)に示す状態）と、第１のポートと第４のポートが互いに連通して第２のポートと第３ポートが互いに連通する第２状態（図１８(Ｂ)に示す状態）とに切り換わる。
【０１１５】
一方、本実施形態の室外回路（20）には、圧縮機（21）だけが設けられている。圧縮機（21）の吐出側に位置する室外回路（20）の端部は、連絡配管を介して各調湿回路（30,40）の第１閉鎖弁（35,45）に接続されている。また、圧縮機（21）の吸入側に位置する室外回路（20）の端部は、別の連絡配管を介して各調湿回路（30,40）の第２閉鎖弁（36,46）に接続されている。
【０１１６】
−運転動作−
上記調湿装置（10）では、各調湿ユニット（11,12）において除湿運転と加湿運転を選択的に行うことができる。
【０１１７】
具体的には、図１８に示すように、第１調湿ユニット（11）と第２調湿ユニット（12）の両方で除湿運転を行うことができる。また、図１９に示すように、第１調湿ユニット（11）と第２調湿ユニット（12）の両方で加湿運転を行うこともできる。また、図２０に示すように、第１調湿ユニット（11）と第２調湿ユニット（12）の一方で除湿運転を、他方で加湿運転をそれぞれ行うこともできる。尚、図２０では、第１調湿ユニット（11）で除湿運転を行って第２調湿ユニット（12）で加湿運転を行う状態を示している。
【０１１８】
〈調湿装置の動作〉
図１８〜図２０に示すように、各調湿ユニット（11,12）における除湿運転中と加湿運転中の両方においても、冷媒回路（15）では第１動作と第２動作が交互に繰り返される。
【０１１９】
先ず、冷媒回路（15）の第１動作について、図１８(Ａ)，図１９(Ａ)，図２０(Ａ)を参照しながら説明する。この第１動作では、各調湿ユニット（11,12）の調湿側四方切換弁（34,44）がそれぞれ第１状態に設定される。各調湿ユニット（11,12）の調湿回路（30,40）では、第１吸着熱交換器（31,41）が凝縮器となって第２吸着熱交換器（32,42）が蒸発器となる。つまり、圧縮機（21）から吐出されて各調湿回路（30,40）へ分配された冷媒は、第１吸着熱交換器（31,41）で凝縮し、続いて電動膨張弁（33,43）を通過する際に減圧されてから第２吸着熱交換器（32,42）で蒸発し、その後に圧縮機（21）へ吸入されて圧縮される。そして、凝縮器となっている各第１吸着熱交換器（31,41）で第２空気が加湿され、蒸発器となっている各第２吸着熱交換器（32,42）で第１空気が除湿される。
【０１２０】
次に、冷媒回路（15）の第２動作について、図１８(Ｂ)，図１９(Ｂ)，図２０(Ｂ)を参照しながら説明する。この第２動作では、各調湿ユニット（11,12）の調湿側四方切換弁（34,44）がそれぞれ第２状態に設定される。各調湿ユニット（11,12）の調湿回路（30,40）では、第２吸着熱交換器（32,42）が凝縮器となって第１吸着熱交換器（31,41）が蒸発器となる。つまり、圧縮機（21）から吐出されて各調湿回路（30,40）へ分配された冷媒は、第２吸着熱交換器（32,42）で凝縮し、続いて電動膨張弁（33,43）を通過する際に減圧されてから第１吸着熱交換器（31,41）で蒸発し、その後に圧縮機（21）へ吸入されて圧縮される。そして、凝縮器となっている各第２吸着熱交換器（32,42）で第２空気が加湿され、蒸発器となっている各第１吸着熱交換器（31,41）で第１空気が除湿される。
【０１２１】
上述した通り、各調湿ユニット（11,12）では、第１吸着熱交換器（31,41）と第２吸着熱交換器（32,42）のうち蒸発器となっている方で第１空気が除湿され、凝縮器となっている方で第２空気が加湿される。そして、調湿ユニット（11,12）は、除湿運転中であれば除湿された第１空気を室内へ供給して加湿された第２空気を室外へ排出し（図１８を参照）、加湿運転中であれば加湿された第２空気を室内へ供給して除湿された第１空気を室外へ排出する（図１９を参照）。
【０１２２】
このように、各調湿ユニット（11,12）では、吸着熱交換器（31,32,41,42）を通過した第１空気と第２空気の送り先を変更することによって、除湿運転と加湿運転の切り換えが可能である。そして、調湿ユニット（11,12）毎に第１空気と第２空気の送り先が異なるように設定すれば、図２０に示すように、一方の調湿ユニット（11）で除湿運転を行って、他方の調湿ユニット（12）で加湿運転を行うことも可能である。
【０１２３】
−実施形態２の効果−
本実施形態では、それぞれの調湿ユニット（11,12）に調湿側四方切換弁（34,44）を設けている。このため、各調湿ユニット（11,12）の調湿回路（30,40）における冷媒の流通方向を調湿側四方切換弁（34,44）によって個別に設定することができる。従って、本実施形態によれば、調湿ユニット（11,12）毎に第１動作と第２動作の切り換えタイミングを個別に設定することが可能となる。
【０１２４】
《発明の実施形態３》
本発明の実施形態３について説明する。本実施形態は、上記実施形態２の調湿装置（10）において、第１，第２調湿ユニット（11,12）の構成を変更したものである。ここでは、第１調湿ユニット（11）の構造について説明するが、第１調湿ユニット（11）の構造と第２調湿ユニット（12）の構造は同じである。尚、その説明において用いる「上」「下」「左」「右」「前」「後」「手前」「奥」は、上記調湿ユニット（11,12）を正面側から見た場合のものを意味している。
【０１２５】
図２１に示すように、上記第１調湿ユニット（11）は、高さの低い扁平な直方体状のケーシング（110）を備えている。このケーシング（110）には、２つの吸着素子（181,182）と調湿回路（30,40）とが収納されている。
【０１２６】
調湿回路（30,40）には、再生用熱交換器（172）と、第１熱交換器（173）と、第２熱交換器（174）と、膨張弁とが設けられている。尚、図２１において、膨張弁の図示は省略する。この調湿回路（30,40）では、再生用熱交換器（172）が凝縮器として機能する。また、調湿回路（30,40）では、第１熱交換器（173）が蒸発器となって第２熱交換器（174）が休止する動作と、第２熱交換器（174）が蒸発器となって第１熱交換器（173）が休止する動作とが切換可能となっている。この調湿回路（30,40）は、再生用熱交換器（172）側の端部が室外回路（20）における圧縮機（21）の吐出側に接続され、第１及び第２熱交換器（173,174）側の端部が室外回路（20）における圧縮機（21）の吸入側に接続されている。
【０１２７】
上記吸着素子（181,182）は、やや扁平な直方体状に形成されている。吸着素子（181,182）では、その長手方向へ調湿側通路（185）と冷却側通路（186）とが交互に複数ずつ形成されている。調湿側通路（185）は、吸着素子（181,182）の上下面に開口している。吸着素子（181,182）において、調湿側通路（185）に臨む面には、吸着材が塗布されている。一方、冷却側通路（186）は、吸着素子（181,182）の前後の側面に開口している。吸着素子（181,182）において、冷却側通路（186）を流れる空気は、調湿側通路（185）を流れる空気と熱交換する。
【０１２８】
図２１に示すように、上記ケーシング（110）では、正面側の第１パネル（111）に排気口（114）及び給気口（116）が設けられ、背面側の第２パネル（112）に外気吸込口（113）及び内気吸込口（115）が設けられている。第１パネル（111）では、その右側部分のやや中央寄りに排気口（114）が、その左側部分のやや中央寄りに給気口（116）がそれぞれ開口している。第２パネル（112）では、その右端寄りの下部に外気吸込口（113）が、その左端寄りの下部に内気吸込口（115）がそれぞれ開口している。
【０１２９】
ケーシング（110）の内部は、正面側の空間と背面側の空間とに仕切られている。
【０１３０】
ケーシング（110）内の正面側の空間は、左右に仕切られており、右側の空間が第１空間（141）を、左側の空間が第２空間（142）をそれぞれ構成している。第１空間（141）は、排気口（114）を介して室外に連通しており、その内部に排気ファン（145）と第１熱交換器（173）とが設置されている。第２空間（142）は、給気口（116）を介して室内に連通しており、その内部に給気ファン（146）と第２熱交換器（174）とが設置されている。
【０１３１】
ケーシング（110）内の背面側の空間には、右側仕切板（120）と左側仕切板（130）とが立設されている。この背面側の空間は、右側仕切板（120）及び左側仕切板（130）によって、左右に３つの空間に仕切られている。
【０１３２】
ケーシング（110）の右側板と右側仕切板（120）の間の空間は、上下に仕切られている。この空間は、上側の空間が右上部流路（165）を構成し、下側の空間が右下部流路（166）を構成している。右上部流路（165）は、第１空間（141）及び排気口（114）を介して室外と連通している。右下部流路（166）は、外気吸込口（113）を介して室外と連通している。
【０１３３】
ケーシング（110）の左側板と左側仕切板（130）の間の空間は、上下に仕切られている。この空間は、上側の空間が左上部流路（167）を構成し、下側の空間が左下部流路（168）を構成している。左上部流路（167）は、第２空間（142）及び給気口（116）を介して室内と連通している。左下部流路（168）は、内気吸込口（115）を介して室内と連通している。
【０１３４】
ケーシング（110）内における右側仕切板（120）と左側仕切板（130）の間の空間には、２つの吸着素子（181,182）が設置されている。２つの吸着素子（181,182）は、前後に間隔をおいて並べられている。具体的には、ケーシング（110）の正面寄りに第１吸着素子（181）が配置され、その背面寄りに第２吸着素子（182）が配置されている。各吸着素子（181,182）では、上下の面に調湿側通路（185）が開口し、その前後の面に冷却側通路（186）が開口している。
【０１３５】
また、ケーシング（110）内における右側仕切板（120）と左側仕切板（130）の間の空間は、第１流路（151）、第２流路（152）、第１上部流路（153）、第１下部流路（154）、第２上部流路（155）、第２下部流路（156）及び中央流路（157）に区画されている。
【０１３６】
第１流路（151）は、第１吸着素子（181）の手前側に形成され、第１吸着素子（181）の冷却側通路（186）に連通している。第２流路（152）は、第２吸着素子（182）の奥側に形成され、第２吸着素子（182）の冷却側通路（186）に連通している。
【０１３７】
第１上部流路（153）は、第１吸着素子（181）の上側に形成され、第１吸着素子（181）の調湿側通路（185）に連通している。第１下部流路（154）は、第１吸着素子（181）の下側に形成され、第１吸着素子（181）の調湿側通路（185）に連通している。第２上部流路（155）は、第２吸着素子（182）の上側に形成され、第２吸着素子（182）の調湿側通路（185）に連通している。第２下部流路（156）は、第２吸着素子（182）の下側に形成され、第２吸着素子（182）の調湿側通路（185）に連通している。
【０１３８】
中央流路（157）は、第１吸着素子（181）と第２吸着素子（182）の間に形成され、両吸着素子（181,182）の冷却側通路（186）に連通している。この中央流路（157）には、再生用熱交換器（172）が立設されている。
【０１３９】
中央流路（157）と第１下部流路（154）の間の仕切りには、その下部に第１中央ダンパ（161）が設けられている。第１中央ダンパ（161）は、中央流路（157）と第１下部流路（154）の間を断続する。中央流路（157）と第２下部流路（156）の間の仕切りには、その下部に第２中央ダンパ（162）が設けられている。第２中央ダンパ（162）は、中央流路（157）と第２下部流路（156）の間を断続する。
【０１４０】
右側仕切板（120）には、第１右側ダンパ（121）、第２右側ダンパ（122）、第１右上ダンパ（123）、第１右下ダンパ（124）、第２右上ダンパ（125）、及び第２右下ダンパ（126）が設けられている。
【０１４１】
第１右側ダンパ（121）は、右側仕切板（120）における最も手前側の下部に設けられ、第１流路（151）と右下部流路（166）の間を断続する。第２右側ダンパ（122）は、右側仕切板（120）における最も奥側の下部に設けられ、第２流路（152）と右下部流路（166）の間を断続する。
【０１４２】
第１右上ダンパ（123）は、右側仕切板（120）のうち第１吸着素子（181）に隣接する部分の上部に設けられ、第１上部流路（153）と右上部流路（165）の間を断続する。第１右下ダンパ（124）は、右側仕切板（120）のうち第１吸着素子（181）に隣接する部分の下部に設けられ、第１下部流路（154）と右下部流路（166）の間を断続する。第２右上ダンパ（125）は、右側仕切板（120）のうち第２吸着素子（182）に隣接する部分の上部に設けられ、第２上部流路（155）と右上部流路（165）の間を断続する。第２右下ダンパ（126）は、右側仕切板（120）のうち第２吸着素子（182）に隣接する部分の下部に設けられ、第２下部流路（156）と右下部流路（166）の間を断続する。
【０１４３】
左側仕切板（130）には、第１左側ダンパ（131）、第２左側ダンパ（132）、第１左上ダンパ（133）、第１左下ダンパ（134）、第２左上ダンパ（135）、及び第２左下ダンパ（136）が設けられている。
【０１４４】
第１左側ダンパ（131）は、左側仕切板（130）における手前側の下部に設けられ、第１流路（151）と左下部流路（168）の間を断続する。第２左側ダンパ（132）は、左側仕切板（130）における奥側の下部に設けられ、第２流路（152）と左下部流路（168）の間を断続する。
【０１４５】
第１左上ダンパ（133）は、左側仕切板（130）のうち第１吸着素子（181）に隣接する部分の上部に設けられ、第１上部流路（153）と左上部流路（167）の間を断続する。第１左下ダンパ（134）は、左側仕切板（130）のうち第１吸着素子（181）に隣接する部分の下部に設けられ、第１下部流路（154）と左下部流路（168）の間を断続する。第２左上ダンパ（135）は、左側仕切板（130）のうち第２吸着素子（182）に隣接する部分の上部に設けられ、第２上部流路（155）と左上部流路（167）の間を断続する。第２左下ダンパ（136）は、左側仕切板（130）のうち第２吸着素子（182）に隣接する部分の下部に設けられ、第２下部流路（156）と左下部流路（168）の間を断続する。
【０１４６】
−運転動作−
上記実施形態１，２と同様に、本実施形態においても、第１調湿ユニット（11）と第２調湿ユニット（12）は構造が共通しており、両者の運転動作も共通する。ここでは、第１調湿ユニット（11）の動作について説明し、第２調湿ユニット（12）の動作についての説明は省略する。
【０１４７】
〈除湿運転〉
図２１及び図２２に示すように、除湿運転時において、給気ファン（146）を駆動すると、室外空気（OA）が外気吸込口（113）からケーシング（110）内へ第１空気として取り込まれる。一方、排気ファン（145）を駆動すると、室内空気（RA）が内気吸込口（115）からケーシング（110）内へ第２空気として取り込まれる。また、除湿運転時において、調湿回路（30,40）では、再生用熱交換器（172）が凝縮器となり、第２熱交換器（174）が蒸発器となる一方、第１熱交換器（173）が休止する。この状態で、第１調湿ユニット（11）は、第１動作と第２動作を交互に繰り返す。
【０１４８】
除湿運転中の第１動作について、図２１を参照しながら説明する。この第１動作では、第１吸着素子（181）についての吸着動作と、第２吸着素子（182）についての再生動作とが行われる。
【０１４９】
この第１動作において、右側仕切板（120）では、第１右下ダンパ（124）と第２右上ダンパ（125）とが開状態となり、残りのダンパ（121,122,123,126）が閉状態となる。左側仕切板（130）では、第１左側ダンパ（131）と第１左上ダンパ（133）とが開状態となり、残りのダンパ（132,134,135,136）が閉状態となる。第１中央ダンパ（161）は閉状態となり、第２中央ダンパ（162）は開状態となる。
【０１５０】
ケーシング（110）内へ取り込まれた第１空気は、右下部流路（166）から第１右下ダンパ（124）を通って第１下部流路（154）へ流入する。第１下部流路（154）の第１空気は、第１吸着素子（181）の調湿側通路（185）へ流入する。この調湿側通路（185）では、第１空気中の水蒸気が吸着材に吸着される。第１吸着素子（181）で除湿された第１空気は、第１上部流路（153）へ流入し、その後に第１左上ダンパ（133）と左上部流路（167）とを順に通過して第２空間（142）へ流入する。第２空間（142）において、第１空気は、第２熱交換器（174）を通過する間に冷媒と熱交換して冷却される。そして、除湿されて冷却された第１空気は、給気口（116）を通って室内へ供給される。
【０１５１】
一方、ケーシング（110）内へ取り込まれた第２空気は、左下部流路（168）から第１左側ダンパ（131）を通って第１流路（151）へ流入し、その後に第１吸着素子（181）の冷却側通路（186）へ流入する。この冷却側通路（186）を流れる間に、第２空気は、調湿側通路（185）で生じた吸着熱を吸熱する。吸着熱を奪った第２空気は、中央流路（157）へ流入して再生用熱交換器（172）を通過し、その際に冷媒と熱交換して更に加熱される。
【０１５２】
加熱された第２空気は、中央流路（157）から第２下部流路（156）へ流入し、その後に第２吸着素子（182）の調湿側通路（185）へ流入する。この調湿側通路（185）では、第２空気によって吸着材が加熱され、吸着材から水蒸気が脱離する。吸着材から脱離した水蒸気は、第２空気に付与される。調湿側通路（185）で加湿された第２空気は、第２上部流路（155）へ流入し、その後に第２右上ダンパ（125）と右上部流路（165）とを順に通過して第１空間（141）へ流入する。その後、第２空気は、休止中の第１熱交換器（173）を通過し、排気口（114）を通って室外へ排出される。
【０１５３】
除湿運転の第２動作について、図２２を参照しながら説明する。この第２動作では、第２吸着素子（182）についての吸着動作と、第１吸着素子（181）についての再生動作とが行われる。
【０１５４】
この第２動作において、右側仕切板（120）では、第１右上ダンパ（123）と第２右下ダンパ（126）とが開状態となり、残りのダンパ（121,122,124,125）が閉状態となる。左側仕切板（130）では、第２左側ダンパ（132）と第２左上ダンパ（135）とが開状態となり、残りのダンパ（131,133,134,136）が閉状態となる。第１中央ダンパ（161）は開状態となり、第２中央ダンパ（162）は閉状態となる。
【０１５５】
ケーシング（110）内へ取り込まれた第１空気は、右下部流路（166）から第２右下ダンパ（126）を通って第２下部流路（156）へ流入する。第２下部流路（156）の第１空気は、第２吸着素子（182）の調湿側通路（185）へ流入する。この調湿側通路（185）では、第１空気中の水蒸気が吸着材に吸着される。第２吸着素子（182）で除湿された第１空気は、第２上部流路（155）へ流入し、その後に第２左上ダンパ（135）と左上部流路（167）とを順に通過して第２空間（142）へ流入する。第２空間（142）において、第１空気は、第２熱交換器（174）を通過する間に冷媒と熱交換して冷却される。そして、除湿されて冷却された第１空気は、給気口（116）を通って室内へ供給される。
【０１５６】
一方、ケーシング（110）内へ取り込まれた第２空気は、左下部流路（168）から第２左側ダンパ（132）を通って第２流路（152）へ流入し、その後に第２吸着素子（182）の冷却側通路（186）へ流入する。この冷却側通路（186）を流れる間に、第２空気は、調湿側通路（185）で生じた吸着熱を吸熱する。吸着熱を奪った第２空気は、中央流路（157）へ流入して再生用熱交換器（172）を通過し、その際に冷媒と熱交換して更に加熱される。
【０１５７】
加熱された第２空気は、中央流路（157）から第１下部流路（154）へ流入し、その後に第１吸着素子（181）の調湿側通路（185）へ流入する。この調湿側通路（185）では、第２空気によって吸着材が加熱され、吸着材から水蒸気が脱離する。吸着材から脱離した水蒸気は、第２空気に付与される。調湿側通路（185）で加湿された第２空気は、第１上部流路（153）へ流入し、その後に第１右上ダンパ（123）と右上部流路（165）とを順に通過して第１空間（141）へ流入する。その後、第２空気は、休止中の第１熱交換器（173）を通過し、排気口（114）を通って室外へ排出される。
【０１５８】
〈加湿運転〉
図２３及び図２４に示すように、加湿運転時において、給気ファン（146）を駆動すると、室外空気（OA）が外気吸込口（113）からケーシング（110）へ第２空気として取り込まれる。一方、排気ファン（145）を駆動すると、室内空気（RA）が内気吸込口（115）からケーシング（110）内へ第１空気として取り込まれる。また、加湿運転時において、調湿回路（30,40）では、再生用熱交換器（172）が凝縮器となり、第１熱交換器（173）が蒸発器となる一方、第２熱交換器（174）が休止する。この状態で、第１調湿ユニット（11）は、第１動作と第２動作を交互に繰り返す。
【０１５９】
加湿運転の第１動作について、図２３を参照しながら説明する。この第１動作では、第１吸着素子（181）についての吸着動作と、第２吸着素子（182）についての再生動作とが行われる。
【０１６０】
この第１動作において、右側仕切板（120）では、第１右側ダンパ（121）と第１右上ダンパ（123）とが開状態となり、残りのダンパ（122,124,125,126）が閉状態となる。左側仕切板（130）では、第１左下ダンパ（134）と第２左上ダンパ（135）とが開状態となり、残りのダンパ（131,132,133,136）が閉状態となる。第１中央ダンパ（161）は閉状態となり、第２中央ダンパ（162）は開状態となる。
【０１６１】
ケーシング（110）内へ取り込まれた第１空気は、左下部流路（168）から第１左下ダンパ（134）を通って第１下部流路（154）へ流入する。第１下部流路（154）の第１空気は、第１吸着素子（181）の調湿側通路（185）へ流入する。この調湿側通路（185）では、第１空気中の水蒸気が吸着材に吸着される。第１吸着素子（181）で水分を奪われた第１空気は、第１上部流路（153）へ流入し、その後に第１右上ダンパ（123）と右上部流路（165）とを順に通過して第１空間（141）へ流入する。第１空間（141）において、第１空気は、第１熱交換器（173）を通過する間に冷媒と熱交換して冷却される。そして、水分と熱を奪われた第１空気は、排気口（114）を通って室外へ排出される。
【０１６２】
一方、ケーシング（110）内へ取り込まれた第２空気は、右下部流路（166）から第１右側ダンパ（121）を通って第１流路（151）へ流入し、その後に第１吸着素子（181）の冷却側通路（186）へ流入する。この冷却側通路（186）を流れる間に、第２空気は、調湿側通路（185）で生じた吸着熱を吸熱する。吸着熱を奪った第２空気は、中央流路（157）へ流入して再生用熱交換器（172）を通過し、その際に冷媒と熱交換して加熱される。
【０１６３】
加熱された第２空気は、中央流路（157）から第２下部流路（156）へ流入し、その後に第２吸着素子（182）の調湿側通路（185）へ流入する。この調湿側通路（185）では、第２空気によって吸着材が加熱され、吸着材から水蒸気が脱離する。吸着材から脱離した水蒸気は、第２空気に付与される。第２吸着素子（182）で加湿された第２空気は、その後に第２上部流路（155）へ流入し、第２左上ダンパ（135）と左上部流路（167）とを順に通過して第２空間（142）へ流入する。その後、第２空気は、休止中の第２熱交換器（174）を通過し、給気口（116）を通って室内へ供給される。
【０１６４】
加湿運転の第２動作について、図２４を参照しながら説明する。この第２動作では、第２吸着素子（182）についての吸着動作と、第１吸着素子（181）についての再生動作とが行われる。
【０１６５】
この第２動作において、右側仕切板（120）では、第２右側ダンパ（122）と第２右上ダンパ（125）とが開状態となり、残りのダンパ（121,123,124,126）が閉状態となる。左側仕切板（130）では、第１左上ダンパ（133）と第２左下ダンパ（136）とが開状態となり、残りのダンパ（131,132,134,135）が閉状態となる。第１中央ダンパ（161）は開状態となり、第２中央ダンパ（162）は閉状態となる。
【０１６６】
ケーシング（110）内へ取り込まれた第１空気は、左下部流路（168）から第２左下ダンパ（136）を通って第２下部流路（156）へ流入する。第２下部流路（156）の第１空気は、第２吸着素子（182）の調湿側通路（185）へ流入する。この調湿側通路（185）では、第１空気中の水蒸気が吸着材に吸着される。第２吸着素子（182）で水分を奪われた第１空気は、第２上部流路（155）へ流入し、その後に第２右上ダンパ（125）と右上部流路（165）とを順に通過して第１空間（141）へ流入する。第１空間（141）において、第１空気は、第１熱交換器（173）を通過する間に冷媒と熱交換して冷却される。そして、水分と熱を奪われた第１空気は、排気口（114）を通って室外へ排出される。
【０１６７】
一方、ケーシング（110）内へ取り込まれた第２空気は、右下部流路（166）から第２右側ダンパ（122）を通って第２流路（152）へ流入し、その後に第２吸着素子（182）の冷却側通路（186）へ流入する。この冷却側通路（186）を流れる間に、第２空気は、調湿側通路（185）で生じた吸着熱を吸熱する。吸着熱を奪った第２空気は、中央流路（157）へ流入して再生用熱交換器（172）を通過し、その際に冷媒と熱交換して加熱される。
【０１６８】
加熱された第２空気は、中央流路（157）から第１下部流路（154）へ流入し、その後に第１吸着素子（181）の調湿側通路（185）へ流入する。この調湿側通路（185）では、第２空気によって吸着材が加熱され、吸着材から水蒸気が脱離する。吸着材から脱離した水蒸気は、第２空気に付与される。調湿側通路（185）で加湿された第２空気は、第１上部流路（153）へ流入し、その後に第１吸着素子（181）で加湿された第２空気は、第１上部流路（153）へ流入し、その後に第１左上ダンパ（133）と左上部流路（167）とを順に通過して第２空間（142）へ流入する。その後、第２空気は、休止中の第２熱交換器（174）を通過し、給気口（116）を通って室内へ供給される。
【産業上の利用可能性】
【０１６９】
以上説明したように、本発明は、除湿し又は加湿した空気を室内へ供給する調湿装置について有用である。
【図面の簡単な説明】
【０１７０】
【図１】実施形態１における調湿装置の概略構成と両方の調湿ユニットが除湿運転中の動作を示す冷媒回路図である。
【図２】実施形態１における調湿装置の概略構成と両方の調湿ユニットが加湿運転中の動作を示す冷媒回路図である。
【図３】実施形態１における調湿装置の概略構成と第１調湿ユニットが除湿運転中で第２調湿ユニットが加湿運転中の動作を示す冷媒回路図である。
【図４】実施形態１における調湿ユニットの構造を示す斜視図である。
【図５】実施形態１における調湿ユニットの概略構成図である。
【図６】実施形態１における除湿運転の第１動作を示す調湿ユニットの概略構成図である。
【図７】実施形態１における除湿運転の第２動作を示す調湿ユニットの概略構成図である。
【図８】実施形態１における加湿運転の第１動作を示す調湿ユニットの概略構成図である。
【図９】実施形態１における加湿運転の第２動作を示す調湿ユニットの概略構成図である。
【図１０】実施形態１の変形例１における除湿運転の第１動作を示す調湿ユニットの概略構成図である。
【図１１】実施形態１の変形例１における除湿運転の第２動作を示す調湿ユニットの概略構成図である。
【図１２】実施形態１の変形例２における加湿運転の第１動作を示す調湿ユニットの概略構成図である。
【図１３】実施形態１の変形例２における加湿運転の第２動作を示す調湿ユニットの概略構成図である。
【図１４】実施形態１の変形例３における除湿運転の第２動作を示す調湿ユニットの概略構成図である。
【図１５】実施形態１の変形例３における加湿運転の第２動作を示す調湿ユニットの概略構成図である。
【図１６】実施形態１の変形例４における除湿運転の第２動作を示す調湿ユニットの概略構成図である。
【図１７】実施形態１の変形例４における加湿運転の第２動作を示す調湿ユニットの概略構成図である。
【図１８】実施形態２における調湿装置の概略構成と両方の調湿ユニットが除湿運転中の動作を示す冷媒回路図である。
【図１９】実施形態２における調湿装置の概略構成と両方の調湿ユニットが加湿運転中の動作を示す冷媒回路図である。
【図２０】実施形態３における調湿装置の概略構成と第１調湿ユニットが除湿運転中で第２調湿ユニットが加湿運転中の動作を示す冷媒回路図である。
【図２１】実施形態３における除湿運転の第１動作を示す調湿ユニットの概略構成図である。
【図２２】実施形態３における除湿運転の第２動作を示す調湿ユニットの概略構成図である。
【図２３】実施形態３における加湿運転の第１動作を示す調湿ユニットの概略構成図である。
【図２４】実施形態３における加湿運転の第２動作を示す調湿ユニットの概略構成図である。
【符号の説明】
【０１７１】
（10）  調湿装置
（11）  第１調湿ユニット
（12）  第２調湿ユニット
（13）  室外ユニット（圧縮機ユニット）
（15）  冷媒回路
（22）  室外側四方切換弁（反転機構）
（30）  調湿回路
（31）  第１吸着熱交換器
（32）  第２吸着熱交換器
（33）  電動膨張弁（膨張機構）
（34）  調湿側四方切換弁（反転機構）
（40）  調湿回路
（41）  第１吸着熱交換器
（42）  第２吸着熱交換器
（43）  電動膨張弁（膨張機構）
（44）  調湿側四方切換弁（反転機構）
【図１】
2005283053.tif 000003
【図２】
2005283053.tif 000004
【図３】
2005283053.tif 000005
【図４】
2005283053.tif 000006
【図５】
2005283053.tif 000007
【図６】
2005283053.tif 000008
【図７】
2005283053.tif 000009
【図８】
2005283053.tif 000010
【図９】
2005283053.tif 000011
【図１０】
2005283053.tif 000012
【図１１】
2005283053.tif 000013
【図１２】
2005283053.tif 000014
【図１３】
2005283053.tif 000015
【図１４】
2005283053.tif 000016
【図１５】
2005283053.tif 000017
【図１６】
2005283053.tif 000018
【図１７】
2005283053.tif 000019
【図１８】
2005283053.tif 000020
【図１９】
2005283053.tif 000021
【図２０】
2005283053.tif 000022
【図２１】
2005283053.tif 000023
【図２２】
2005283053.tif 000024
【図２３】
2005283053.tif 000025
【図２４】
2005283053.tif 000026
【手続補正書】
【提出日】平成17年6月15日(2005.6.15)
【手続補正１】
【補正対象書類名】特許請求の範囲
【補正対象項目名】全文
【補正方法】変更
【補正の内容】
【特許請求の範囲】
【請求項１】
除湿した空気を室内へ供給する除湿運転と加湿した空気を室内へ供給する加湿運転とを選択的に行う複数の調湿ユニット（11,12）と、
圧縮機（21）が設置される１つの圧縮機ユニット（13）とを備え、
上記調湿ユニット（11,12）は、上記圧縮機ユニット（13）に接続されて冷媒回路（15）を形成し、該冷媒回路（15）の冷媒によって吸着材の加熱と冷却の少なくとも一方を行って該吸着材との接触により空気を調湿するように構成され、
何れの上記調湿ユニット（11,12）においても、他の調湿ユニット（11,12）が除湿運転中か加湿運転中かに拘わらず除湿運転と加湿運転のどちらも選択可能となっており、
上記調湿ユニット（11,12）は、
吸着材を担持すると共に冷媒回路（15）に接続される第１及び第２の吸着熱交換器（31,32,41,42）を備え、取り込んだ第１空気と第２空気とを上記吸着熱交換器（31,32,41,42）の吸着材と接触させる一方、
蒸発器となっている第１の吸着熱交換器（31,41）で第１空気を除湿して凝縮器となっている第２の吸着熱交換器（32,42）で第２空気を加湿する動作と、蒸発器となっている第２の吸着熱交換器（32,42）で第１空気を除湿して凝縮器となっている第１の吸着熱交換器（31,41）で第２空気を加湿する動作とを交互に行い、
除湿運転時には除湿された第１空気を室内へ供給して加湿された第２空気を室外へ排出し、加湿運転時には加湿された第２空気を室内へ供給して除湿された第１空気を室外へ排出する調湿装置。
【請求項２】
請求項１に記載の調湿装置において、
調湿ユニット（11,12）では、第１の吸着熱交換器（31,41）と膨張機構（33,43）と第２の吸着熱交換器（32,42）とが順に直列接続されて冷媒回路（15）の一部を構成する調湿回路（30,40）が形成される一方、
圧縮機ユニット（13）には、上記冷媒回路（15）に接続されて全ての上記調湿回路（30,40）における冷媒の流通方向を反転可能とするための反転機構（22）が設置されている調湿装置。
【請求項３】
請求項１に記載の調湿装置において、
調湿ユニット（11,12）では、第１の吸着熱交換器（31,41）と膨張機構（33,43）と第２の吸着熱交換器（32,42）とが順に直列接続されて冷媒回路（15）の一部を構成する調湿回路（30,40）が形成される一方、
上記調湿回路（30,40）には、該調湿回路（30,40）おける冷媒の流通方向を反転可能とするための反転機構（34,44）が接続されている調湿装置。
【手続補正２】
【補正対象書類名】明細書
【補正対象項目名】全文
【補正方法】変更
【補正の内容】
【発明の詳細な説明】
【技術分野】
【０００１】
本発明は、除湿し又は加湿した空気を室内へ供給する調湿装置に関するものである。
【背景技術】
【０００２】
従来より、特許文献１に開示されているように、吸着材を用いて空気の湿度調節を行う調湿装置が知られている。この調湿装置は、吸着材を担持した吸着素子を備えており、吸着素子に空気中の水蒸気を吸着させて空気を除湿する。また、この調湿装置は、冷凍サイクルを行う冷媒回路を備えており、冷媒回路の凝縮器で加熱された空気によって吸着素子を加熱し、吸着素子から脱離した水蒸気で空気を加湿する。そして、上記調湿装置は、除湿された空気と加湿された空気の一方を室内へ供給して他方を室外へ排出する。
【特許文献１】特開２００３−２３２５３９号公報
【発明の開示】
【発明が解決しようとする課題】
【０００３】
上記特許文献１の調湿装置は、調湿した空気を室内へダクトを通じて供給する。そして、調湿された空気を複数の部屋へ分配すれば、１つの調湿装置で複数の部屋の除湿や加湿を行うことができる。その場合、同時に各部屋へ供給されるのは除湿された空気か加湿された空気の一方だけである。
【０００４】
ところが、部屋毎にその使用目的や使用状態が異なることもあり、ある部屋では除湿が必要でも別の部屋では加湿が必要な状況もあり得る。そして、１つの調湿装置から調湿した空気を複数の部屋に分配する場合には、除湿の必要な部屋と加湿の必要な部屋とが混在する状況に対応することができなかった。このため、１つの上記調湿装置を複数の部屋の調湿に用いる場合、この調湿装置は使い勝手の良くないものとなるおそれがあった。
【０００５】
本発明は、かかる点に鑑みてなされたものであり、その目的とするところは、複数の部屋の湿度調節を行う際に使い勝手の良い調湿装置を提供することにある。
【課題を解決するための手段】
【０００６】
第１の発明は、調湿装置を対象としている。そして、除湿した空気を室内へ供給する除湿運転と加湿した空気を室内へ供給する加湿運転とを選択的に行う複数の調湿ユニット（11,12）と、圧縮機（21）が設置される１つの圧縮機ユニット（13）とを備え、上記調湿ユニット（11,12）は、上記圧縮機ユニット（13）に接続されて冷媒回路（15）を形成し、該冷媒回路（15）の冷媒によって吸着材の加熱と冷却の少なくとも一方を行って該吸着材との接触により空気を調湿するように構成されており、何れの上記調湿ユニット（11,12）においても、他の調湿ユニット（11,12）が除湿運転中か加湿運転中かに拘わらず除湿運転と加湿運転のどちらも選択可能となっているものである。
【０００７】
更に、この第１の発明において、上記調湿ユニット（11,12）は、吸着材を担持すると共に冷媒回路（15）に接続される第１及び第２の吸着熱交換器（31,32,41,42）を備え、取り込んだ第１空気と第２空気とを上記吸着熱交換器（31,32,41,42）の吸着材と接触させる一方、蒸発器となっている第１の吸着熱交換器（31,41）で第１空気を除湿して凝縮器となっている第２の吸着熱交換器（32,42）で第２空気を加湿する動作と、蒸発器となっている第２の吸着熱交換器（32,42）で第１空気を除湿して凝縮器となっている第１の吸着熱交換器（31,41）で第２空気を加湿する動作とを交互に行い、除湿運転時には除湿された第１空気を室内へ供給して加湿された第２空気を室外へ排出し、加湿運転時には加湿された第２空気を室内へ供給して除湿された第１空気を室外へ排出する。
【０００８】
第２の発明は、上記第１の発明において、調湿ユニット（11,12）では、第１の吸着熱交換器（31,41）と膨張機構（33,43）と第２の吸着熱交換器（32,42）とが順に直列接続されて冷媒回路（15）の一部を構成する調湿回路（30,40）が形成される一方、圧縮機ユニット（13）には、上記冷媒回路（15）に接続されて全ての上記調湿回路（30,40）における冷媒の流通方向を反転可能とするための反転機構（22）が設置されるものである。
【０００９】
第３の発明は、上記第１の発明において、調湿ユニット（11,12）では、第１の吸着熱交換器（31,41）と膨張機構（33,43）と第２の吸着熱交換器（32,42）とが順に直列接続されて冷媒回路（15）の一部を構成する調湿回路（30,40）が形成される一方、上記調湿回路（30,40）には、該調湿回路（30,40）おける冷媒の流通方向を反転可能とするための反転機構（34,44）が接続されるものである。
【００１０】
−作用−
上記第１の発明では、１つの圧縮機ユニット（13）と複数の調湿ユニット（11,12）とによって調湿装置（10）が構成される。複数の調湿ユニット（11,12）は、その何れもが圧縮機ユニット（13）に接続されている。互いに接続された調湿ユニット（11,12）と圧縮機ユニット（13）は、冷媒回路（15）を形成している。圧縮機ユニット（13）の圧縮機を運転すると、冷媒回路（15）内で冷媒が循環して冷凍サイクルが行われる。
【００１１】
この発明の調湿装置（10）に設けられた複数の調湿ユニット（11,12）では、それぞれにおいて除湿運転と加湿運転の両方が可能となっている。各調湿ユニット（11,12）は、空気と吸着材の間で水蒸気の授受を行わせることによって空気の調湿を行い、除湿運転中であれば除湿した空気を、加湿運転中であれば加湿した空気をそれぞれ室内へ供給する。その際、調湿ユニット（11,12）は、冷媒回路（15）を流れる冷媒を用いて吸着材の加熱と冷却の何れか一方又は両方を行う。吸着材を加熱すると吸着材からの水蒸気の脱離が促進され、吸着材を冷却すると吸着材への水蒸気の吸着が促進される。
【００１２】
この発明の調湿装置（10）では、調湿ユニット（11,12）毎に除湿運転と加湿運転を個別に設定可能となっている。つまり、調湿装置（10）に設けられた何れの調湿ユニット（11,12）においても、残りの調湿ユニット（11,12）が除湿運転中であろうと加湿運転中であろうと、除湿運転と加湿運転のどちらを行うことも可能となっている。
【００１３】
また、この第１の発明では、調湿ユニット（11,12）に吸着熱交換器（31,32,41,42）が設けられる。吸着熱交換器（31,32,41,42）には吸着材が担持されており、この吸着材が吸着熱交換器（31,32,41,42）を通過する空気と接触する。吸着熱交換器（31,32,41,42）は、冷媒回路（15）に接続されている。吸着熱交換器（31,32,41,42）が凝縮器となる状態では、吸着熱交換器（31,32,41,42）に担持された吸着材が冷媒回路（15）の冷媒によって加熱される。吸着熱交換器（31,32,41,42）が蒸発器となる状態では、吸着熱交換器（31,32,41,42）に担持された吸着材が冷媒回路（15）の冷媒によって冷却される。
【００１４】
また、この第１の発明では、各調湿ユニット（11,12）に吸着熱交換器（31,32,41,42）が複数設けられる。これら調湿ユニット（11,12）は、それぞれが２つの動作を交互に繰り返す。調湿ユニット（11,12）の一方の動作では、第１の吸着熱交換器（31,41）が蒸発器となって第２の吸着熱交換器（32,42）が凝縮器となり、第１の吸着熱交換器（31,41）で第１空気が除湿されて第２の吸着熱交換器（32,42）で第２空気が加湿される。また、調湿ユニット（11,12）の他方の動作では、第２の吸着熱交換器（32,42）が蒸発器となって第１の吸着熱交換器（31,41）が凝縮器となり、第２の吸着熱交換器（32,42）で第１空気が除湿されて第１の吸着熱交換器（31,41）で第２空気が加湿される。つまり、調湿ユニット（11,12）では、各吸着熱交換器（31,32,41,42）において第１空気の除湿と第２空気の加湿とが交互に行われる。そして、調湿ユニット（11,12）は、吸着熱交換器（31,32,41,42）を通過した第１空気と第２空気の一方を室内へ供給して他方を室外へ排出する。
【００１５】
上記第２及び第３の発明では、各調湿ユニット（11,12）において調湿回路（30,40）が形成される。各調湿ユニット（11,12）の調湿回路（30,40）では、第１の吸着熱交換器（31,41）と膨張機構（33,43）と第２の吸着熱交換器（32,42）とが順に直列に接続される。調湿回路（30,40）において、第１の吸着熱交換器（31,41）から第２の吸着熱交換器（32,42）へ向かって冷媒が流れる状態では、第１の吸着熱交換器（31,41）が凝縮器となって第２の吸着熱交換器（32,42）が蒸発器となる。逆に、第２の吸着熱交換器（32,42）から第１の吸着熱交換器（31,41）へ向かって冷媒が流れる状態では、第２の吸着熱交換器（32,42）が凝縮器となって第１の吸着熱交換器（31,41）が蒸発器となる。
【００１６】
そして、上記第２の発明では、圧縮機ユニット（13）に反転機構（22）が設置される。この反転機構（22）は、冷媒回路（15）に接続されている。全ての調湿ユニット（11,12）の調湿回路（30,40）における冷媒の流通方向は、圧縮機ユニット（13）に設置された反転機構（22）の動作によって反転可能となっている。
【００１７】
一方、上記第３の発明では、各調湿ユニット（11,12）の調湿回路（30,40）に反転機構（34,44）が設けられる。つまり、この発明では、それぞれの調湿回路（30,40）に反転機構（34,44）が設置される。ある調湿ユニット（11,12）において反転機構（34,44）を動作させると、その調湿ユニット（11,12）の調湿回路（30,40）だけにおいて冷媒の流通方向が反転する。
【発明の効果】
【００１８】
本発明では、調湿装置（10）の各調湿ユニット（11,12）において、除湿運転を行うか加湿運転を行うかを独立して選択できるようになっている。このため、それぞれの調湿ユニット（11,12）が互いに別々の部屋へ調湿された空気を供給する場合、各調湿ユニット（11,12）では、それぞれが調湿を担当する部屋の状況に応じて除湿運転と加湿運転のどちらを選択することも可能となる。つまり、同時に除湿の必要な部屋と加湿の必要な部屋とが混在する状況では、除湿の必要な部屋へ空気を供給する調湿ユニット（11,12）で除湿運転を、加湿の必要な部屋へ空気を供給する調湿ユニット（11,12）で加湿運転をそれぞれ行うことができる。従って、本発明によれば、部屋毎の要求に応じた運転を調湿ユニット（11,12）で行うことができ、複数の部屋の湿度調節を行う際に使い勝手の良い調湿装置（10）を提供することができる。
【００１９】
また、本発明によれば、冷媒回路（15）に接続された吸着熱交換器（31,32,41,42）に吸着材を担持しているため、吸着材を冷媒回路（15）の冷媒によって効率よく加熱し又は冷却することができる。その結果、吸着材と空気の間で授受される水蒸気の量を増大させることができ、調湿ユニット（11,12）の能力向上あるいは調湿ユニット（11,12）の小型化を図ることができる。
【００２０】
また、本発明において、各調湿ユニット（11,12）は、第１及び第２の吸着熱交換器（31,32,41,42）の一方が水蒸気を吸着する間に他方が再生されるバッチ式の動作を行う。従って、本発明によれば、各調湿ユニット（11,12）において除湿された第１空気と加湿された第２空気とを連続的に生成し、得られた第１空気又は第２空気を継続して室内へ供給することが可能となる。
【００２１】
更に、本発明の各調湿ユニット（11,12）では、第１及び第２の吸着熱交換器（31,32,41,42）のうち第１空気を除湿する方が蒸発器となって第２空気を加湿する方が凝縮器となる。このため、蒸発器となっている吸着熱交換器（31,32,41,42）では、冷媒回路（15）の冷媒によって吸着材が冷却され、吸着材に対する空気中の水蒸気の吸着が促進される。また、凝縮器となっている吸着熱交換器（31,32,41,42）では、冷媒回路（15）の冷媒によって吸着材が加熱され、吸着材からの水蒸気の脱離が促進される。従って、この発明によれば、吸着材への水蒸気の吸着と吸着材からの水蒸気の脱離との両方を促進でき、調湿ユニット（11,12）の能力向上あるいは調湿ユニット（11,12）の小型化を図ることができる。
【００２２】
上記第２の発明では、圧縮機ユニット（13）に設置した反転機構（22）によって全ての調湿回路（30,40）における冷媒の流通方向を反転させている。つまり、各調湿ユニット（11,12）での動作切換に伴う調湿回路（30,40）での冷媒流通方向の切り換えを、圧縮機ユニット（13）の反転機構（22）だけで行っている。従って、この発明によれば、冷媒回路（15）に設けられる部品点数を最小限に留めることができ、調湿装置（10）の簡素化を図ることができる。
【００２３】
また、反転機構（22）は、動作する頻度が比較的高くて騒音の発生源となる可能性が高い。これに対し、上記第２の発明では、屋外に設置される場合が多いと想定される圧縮機ユニット（13）に反転機構（22）を設けている。従って、この発明によれば、反転機構（22）の動作に伴う騒音の問題を回避することが可能となる。
【００２４】
上記第３の発明では、それぞれの調湿ユニット（11,12）に反転機構（34,44）を設けている。このため、各調湿ユニット（11,12）の調湿回路（30,40）における冷媒の流通方向を、それぞれの反転機構（34,44）によって個別に設定することができる。従って、この発明によれば、調湿ユニット（11,12）毎に動作の切り換えタイミングを個別に設定することが可能となる。
【発明を実施するための最良の形態】
【００２５】
以下、本発明の実施形態を図面に基づいて詳細に説明する。
【００２６】
《発明の実施形態１》
本発明の実施形態１について説明する。本実施形態は、湿度調節した空気を室内へ供給する調湿装置（10）である。
【００２７】
〈調湿装置の全体構成〉
図１に示すように、上記調湿装置（10）は、第１調湿ユニット（11）と、第２調湿ユニット（12）と、圧縮機ユニットである室外ユニット（13）とを備えている。この調湿装置（10）では、１台の室外ユニット（13）に対して２台の調湿ユニット（11,12）を接続することで冷媒回路（15）が形成されている。尚、室外ユニット（13）に接続される調湿ユニット（11,12）の台数は、３台以上であってもよい。
【００２８】
上記第１調湿ユニット（11）と第２調湿ユニット（12）には、調湿回路（30,40）が１つずつ収納されている。尚、調湿ユニット（11,12）の詳細については後述する。
【００２９】
各調湿ユニット（11,12）の調湿回路（30,40）は、同様に構成されている。具体的に、各調湿回路（30,40）には、吸着熱交換器（31,32,41,42）と閉鎖弁（35,36,45,46）とが２つずつ設けられ、膨張機構である電動膨張弁（33,43）が１つずつ設けられている。各調湿回路（30,40）では、それぞれの一端に第１閉鎖弁（35,45）が、他端に第２閉鎖弁（36,46）がそれぞれ配置されている。また、各調湿回路（30,40）では、第１閉鎖弁（35,45）から第２閉鎖弁（36,46）へ向かって順に、第１吸着熱交換器（31,41）と電動膨張弁（33,43）と第２吸着熱交換器（32,42）とが配置されている。
【００３０】
各調湿回路（30,40）の第１，第２吸着熱交換器（31,32,41,42）は、何れも伝熱管と多数のフィンとで構成されたクロスフィン形のフィン・アンド・チューブ熱交換器である。これら吸着熱交換器（31,32,41,42）では、そのフィンの表面に吸着材が担持されている。この吸着材としては、ゼオライトやシリカゲル等が用いられる。
【００３１】
上記室外ユニット（13）には、室外回路（20）が収納されている。室外回路（20）には、圧縮機（21）と室外側四方切換弁（22）とが設けられている。室外回路（20）において、圧縮機（21）は、その吐出側が室外側四方切換弁（22）の第１のポートに、その吸入側が室外側四方切換弁（22）の第２のポートにそれぞれ接続されている。室外側四方切換弁（22）の第３のポートは、連絡配管を介して各調湿回路（30,40）の第１閉鎖弁（35,45）に接続されている。一方、室外側四方切換弁（22）の第４のポートは、別の連絡配管を介して各調湿回路（30,40）の第２閉鎖弁（36,46）に接続されている。
【００３２】
上記室外側四方切換弁（22）は、第１のポートと第３のポートが互いに連通して第２のポートと第４のポートが互いに連通する第１状態（図１(Ａ)に示す状態）と、第１のポートと第４のポートが互いに連通して第２のポートと第３ポートが互いに連通する第２状態（図１(Ｂ)に示す状態）とに切り換わる。この室外側四方切換弁（22）は、全ての調湿回路（30,40）における冷媒の流通方向を反転させるための反転機構を構成している。
【００３３】
〈調湿ユニットの構成〉
上記第１，第２調湿ユニット（11,12）について、図４，図５を参照しながら説明する。ここでは、第１調湿ユニット（11）の構造について説明するが、第１調湿ユニット（11）の構造と第２調湿ユニット（12）の構造は同じである。尚、ここでの説明で用いる「上」「下」「左」「右」「前」「後」「手前」「奥」は、何れも上記調湿ユニット（11,12）を前面側から見た場合のものを意味している。
【００３４】
上記第１調湿ユニット（11）は、ケーシング（50）を備えている。このケーシング（50）内に上記調湿回路（30,40）が収納されている。
【００３５】
上記ケーシング（50）は、高さの低い扁平な直方体状に形成されている。ケーシング（50）の前面では、右寄りの位置に排気口（54）が、左寄りの位置に給気口（52）がそれぞれ開口している。ケーシング（50）の背面では、右寄りの位置に外気吸込口（51）が、左寄りの位置に内気吸込口（53）がそれぞれ開口している。
【００３６】
ケーシング（50）の内部空間は、前面側と背面側の２つに仕切られている。ケーシング（50）内の前面側の空間は、更に左右に仕切られている。そのうち、右側の空間は排気側流路（65）を構成し、左側の空間は給気側流路（66）を構成している。排気側流路（65）は、内部に排気ファン（81）が収納されると共に、排気口（54）を介して室外に連通している。給気側流路（66）は、内部に給気ファン（82）が収納されると共に、給気口（52）を介して室内に連通している。
【００３７】
ケーシング（50）内の背面側の空間は、左右に３つに仕切られている。そのうち、右側の空間は、上下に仕切られており、上側の空間が右上流路（61）を、下側の空間が右下流路（62）をそれぞれ構成している。右上流路（61）は、排気側流路（65）に連通している。右下流路（62）は、外気吸込口（51）を介して室外に連通している。右上流路（61）及び右下流路（62）は、室外に連通する室外側流路を構成している。一方、左側の空間は、上下に仕切られており、上側の空間が左上流路（63）を、下側の空間が左下流路（64）をそれぞれ構成している。左上流路（63）は、給気側流路（66）に連通している。左下流路（64）は、内気吸込口（53）を介して室内に連通している。左上流路（63）及び左下流路（64）は、室内に連通する室内側流路を構成している。
【００３８】
左右に仕切られたケーシング（50）内の背面側の空間のうち、中央の空間は、前後に仕切られている。この前後に仕切られた中央の空間のうち、前面側の空間には第１吸着熱交換器（31）が、背面側の空間には第２吸着熱交換器（32）がそれぞれ収納されている。第１吸着熱交換器（31）及び第２吸着熱交換器（32）は、収納された空間を上下に仕切るように、ほぼ水平姿勢で設置されている。
【００３９】
ケーシング（50）内の背面側を左右に仕切る２枚の仕切板には、それぞれに開閉式のダンパ（71〜78）が４つずつ設けられている。
【００４０】
右側の仕切板において、その上部には第１右上ダンパ（71）と第２右上ダンパ（72）が並んで設置され、その下部には第１右下ダンパ（73）と第２右下ダンパ（74）が並んで設置される。第１右上ダンパ（71）は、第１吸着熱交換器（31）の上側の空間と右上流路（61）の間を断続する。第２右上ダンパ（72）は、第２吸着熱交換器（32）の上側の空間と右上流路（61）の間を断続する。第１右下ダンパ（73）は、第１吸着熱交換器（31）の下側の空間と右下流路（62）の間を断続する。第２右下ダンパ（74）は、第２吸着熱交換器（32）の下側の空間と右下流路（62）の間を断続する。
【００４１】
左側の仕切板において、その上部には第１左上ダンパ（75）と第２左上ダンパ（76）が並んで設置され、その下部には第１左下ダンパ（77）と第２左下ダンパ（78）が並んで設置される。第１左上ダンパ（75）を開くと左上流路（63）が第１吸着熱交換器（31）の上側の空間と連通し、第２左上ダンパ（76）を開くと左上流路（63）が第２吸着熱交換器（32）の上側の空間と連通する。第１左下ダンパ（77）を開くと左下流路（64）が第１吸着熱交換器（31）の下側の空間と連通し、第２左下ダンパ（78）を開くと左下流路（64）が第２吸着熱交換器（32）の下側の空間と連通する。
【００４２】
−運転動作−
上記調湿装置（10）では、各調湿ユニット（11,12）において除湿運転と加湿運転を選択的に行うことができる。
【００４３】
具体的には、図１に示すように、第１調湿ユニット（11）と第２調湿ユニット（12）の両方で除湿運転を行うことができる。また、図２に示すように、第１調湿ユニット（11）と第２調湿ユニット（12）の両方で加湿運転を行うこともできる。また、図３に示すように、第１調湿ユニット（11）と第２調湿ユニット（12）の一方で除湿運転を、他方で加湿運転をそれぞれ行うこともできる。尚、図３では、第１調湿ユニット（11）で除湿運転を行って第２調湿ユニット（12）で加湿運転を行う状態を示している。
【００４４】
〈調湿装置の動作〉
図１〜図３に示すように、各調湿ユニット（11,12）における除湿運転中と加湿運転中のどちらにおいても、冷媒回路（15）では第１動作と第２動作が交互に繰り返される。
【００４５】
先ず、冷媒回路（15）の第１動作について、図１(Ａ)，図２(Ａ)，図３(Ａ)を参照しながら説明する。この第１動作では、室外側四方切換弁（22）が第１状態に設定される。そして、各調湿ユニット（11,12）の調湿回路（30,40）では、第１吸着熱交換器（31,41）が凝縮器となって第２吸着熱交換器（32,42）が蒸発器となる。
【００４６】
具体的に、圧縮機（21）から吐出された冷媒は、室外側四方切換弁（22）を通過し、各調湿ユニット（11,12）における調湿回路（30,40）の第１閉鎖弁（35,45）側へ導入される。調湿回路（30,40）へ導入された冷媒は、第１吸着熱交換器（31,41）へ流入し、放熱して凝縮する。第１吸着熱交換器（31,41）では、冷媒で加熱された吸着材から水分が脱離し、この脱離した水分が第２空気に付与される。第１吸着熱交換器（31,41）で凝縮した冷媒は、電動膨張弁（33,43）を通過する際に減圧されてから第２吸着熱交換器（32,42）へ導入される。第２吸着熱交換器（32,42）では、第１空気中の水分が吸着材に吸着され、その際に生じた吸着熱を冷媒が吸熱して蒸発する。各調湿回路（30,40）の第２吸着熱交換器（32,42）で蒸発した冷媒は、合流後に室外側四方切換弁（22）を通過し、圧縮機（21）に吸入されて圧縮される。
【００４７】
次に、冷媒回路（15）の第２動作について、図１(Ｂ)，図２(Ｂ)，図３(Ｂ)を参照しながら説明する。この第２動作では、室外側四方切換弁（22）が第２状態に設定される。そして、各調湿ユニット（11,12）の調湿回路（30,40）では、第２吸着熱交換器（32,42）が凝縮器となって第１吸着熱交換器（31,41）が蒸発器となる。
【００４８】
具体的に、圧縮機（21）から吐出された冷媒は、室外側四方切換弁（22）を通過し、各調湿ユニット（11,12）における調湿回路（30,40）の第２閉鎖弁（36,46）側へ導入される。調湿回路（30,40）へ導入された冷媒は、第２吸着熱交換器（32,42）へ流入し、放熱して凝縮する。第２吸着熱交換器（32,42）では、冷媒で加熱された吸着材から水分が脱離し、この脱離した水分が第２空気に付与される。第２吸着熱交換器（32,42）で凝縮した冷媒は、電動膨張弁（33,43）を通過する際に減圧されてから第１吸着熱交換器（31,41）へ導入される。第１吸着熱交換器（31,41）では、第１空気中の水分が吸着材に吸着され、その際に生じた吸着熱を冷媒が吸熱して蒸発する。各調湿回路（30,40）の第１吸着熱交換器（31,41）で蒸発した冷媒は、合流後に室外側四方切換弁（22）を通過し、圧縮機（21）に吸入されて圧縮される。
【００４９】
上述した通り、各調湿ユニット（11,12）では、第１吸着熱交換器（31,41）と第２吸着熱交換器（32,42）のうち蒸発器となっている方で第１空気が除湿され、凝縮器となっている方で第２空気が加湿される。そして、調湿ユニット（11,12）は、除湿運転中であれば除湿された第１空気を室内へ供給して加湿された第２空気を室外へ排出し（図１を参照）、加湿運転中であれば加湿された第２空気を室内へ供給して除湿された第１空気を室外へ排出する（図２を参照）。
【００５０】
このように、各調湿ユニット（11,12）では、吸着熱交換器（31,32,41,42）を通過した第１空気と第２空気の送り先を変更することによって、除湿運転と加湿運転の切り換えが可能である。そして、調湿ユニット（11,12）毎に第１空気と第２空気の送り先が異なるように設定すれば、図３に示すように、一方の調湿ユニット（11）で除湿運転を行って、他方の調湿ユニット（12）で加湿運転を行うことも可能である。
【００５１】
〈調湿ユニットの運転動作〉
上述のように、第１調湿ユニット（11）と第２調湿ユニット（12）は構造が共通しており、両者の運転動作も共通する。ここでは、第１調湿ユニット（11）の動作について説明し、第２調湿ユニット（12）の動作についての説明は省略する。尚、第１調湿ユニット（11）は、第１の部屋から空気を吸い込み、この第１の部屋へ調湿した空気を供給する。一方、第２調湿ユニット（12）は、第２の部屋から空気を吸い込み、この第２の部屋へ調湿した空気を供給する。
【００５２】
上記第１調湿ユニット（11）の除湿運転について、図６，図７を参照しながら説明する。除湿運転時において、給気ファン（82）を運転すると、室外空気が外気吸込口（51）からケーシング（50）内へ第１空気として取り込まれる。また、排気ファン（81）を運転すると、室内空気が内気吸込口（53）からケーシング（50）内へ第２空気として取り込まれる。
【００５３】
除湿運転時の第１動作では、上述したように、第１吸着熱交換器（31）が凝縮器となって第２吸着熱交換器（32）が蒸発器となる。そして、第１調湿ユニット（11）では、第２吸着熱交換器（32）についての吸着動作と、第１吸着熱交換器（31）についての再生動作とが行われる。
【００５４】
この第１動作中には、図６に示すように、第１右上ダンパ（71）及び第２右下ダンパ（74）が開状態となり、第１右下ダンパ（73）及び第２右上ダンパ（72）が閉状態となる。また、第１左下ダンパ（77）及び第２左上ダンパ（76）が開状態となり、第１左上ダンパ（75）及び第２左下ダンパ（78）が閉状態となる。
【００５５】
外気吸込口（51）から右下流路（62）へ流入した第１空気は、第２右下ダンパ（74）を通って第２吸着熱交換器（32）の下側へ流入し、第２吸着熱交換器（32）を下から上へ向かって通過する。第２吸着熱交換器（32）では、第１空気中の水分が吸着材に吸着されて第１空気が除湿され、その際に生じた吸着熱が冷媒に吸熱される。第２吸着熱交換器（32）で除湿された第１空気は、第２左上ダンパ（76）を通って左上流路（63）へ流入し、給気側流路（66）を通過後に給気口（52）から室内へ供給される。
【００５６】
内気吸込口（53）から左下流路（64）へ流入した第２空気は、第１左下ダンパ（77）を通って第１吸着熱交換器（31）の下側へ流入し、第１吸着熱交換器（31）を下から上へ向かって通過する。第１吸着熱交換器（31）では、冷媒で加熱された吸着材から水分が脱離し、この脱離した水分が第２空気に付与される。第１吸着熱交換器（31）から脱離した水分は、第２空気と共に第１右上ダンパ（71）を通って右上流路（61）へ流入し、排気側流路（65）を通過後に排気口（54）から室外へ排出される。
【００５７】
除湿運転時の第２動作では、上述したように、第２吸着熱交換器（32）が凝縮器となって第１吸着熱交換器（31）が蒸発器となる。そして、第１調湿ユニット（11）では、第１吸着熱交換器（31）についての吸着動作と、第２吸着熱交換器（32）についての再生動作とが行われる。
【００５８】
この第２動作中には、図７に示すように、第１右下ダンパ（73）及び第２右上ダンパ（72）が開状態となり、第１右上ダンパ（71）及び第２右下ダンパ（74）が閉状態となる。また、第１左上ダンパ（75）及び第２左下ダンパ（78）が開状態となり、第１左下ダンパ（77）及び第２左上ダンパ（76）が閉状態となる。
【００５９】
外気吸込口（51）から右下流路（62）へ流入した第１空気は、第１右下ダンパ（73）を通って第１吸着熱交換器（31）の下側へ流入し、第１吸着熱交換器（31）を下から上へ向かって通過する。第１吸着熱交換器（31）では、第１空気中の水分が吸着材に吸着されて第１空気が除湿され、その際に生じた吸着熱が冷媒に吸熱される。第１吸着熱交換器（31）で除湿された第１空気は、第１左上ダンパ（75）を通って左上流路（63）へ流入し、給気側流路（66）を通過後に給気口（52）から室内へ供給される。
【００６０】
内気吸込口（53）から左下流路（64）へ流入した第２空気は、第２左下ダンパ（78）を通って第２吸着熱交換器（32）の下側へ流入し、第２吸着熱交換器（32）を下から上へ向かって通過する。第２吸着熱交換器（32）では、冷媒で加熱された吸着材から水分が脱離し、この脱離した水分が第２空気に付与される。第２吸着熱交換器（32）から脱離した水分は、第２空気と共に第２右上ダンパ（72）を通って右上流路（61）へ流入し、排気側流路（65）を通過後に排気口（54）から室外へ排出される。
【００６１】
上記第１調湿ユニット（11）の加湿運転について、図８，図９を参照しながら説明する。加湿運転時において、給気ファン（82）を運転すると、室外空気が外気吸込口（51）からケーシング（50）内へ第２空気として取り込まれる。また、排気ファン（81）を運転すると、室内空気が内気吸込口（53）からケーシング（50）内へ第１空気として取り込まれる。
【００６２】
加湿運転時の第１動作では、上述したように、第１吸着熱交換器（31）が凝縮器となって第２吸着熱交換器（32）が蒸発器となる。そして、第１調湿ユニット（11）では、第２吸着熱交換器（32）についての吸着動作と、第１吸着熱交換器（31）についての再生動作とが行われる。
【００６３】
この第１動作中には、図８に示すように、第１右下ダンパ（73）及び第２右上ダンパ（72）が開状態となり、第１右上ダンパ（71）及び第２右下ダンパ（74）が閉状態となる。また、第１左上ダンパ（75）及び第２左下ダンパ（78）が開状態となり、第１左下ダンパ（77）及び第２左上ダンパ（76）が閉状態となる。
【００６４】
内気吸込口（53）から左下流路（64）へ流入した第１空気は、第２左下ダンパ（78）を通って第２吸着熱交換器（32）の下側へ流入し、第２吸着熱交換器（32）を下から上へ向かって通過する。第２吸着熱交換器（32）では、第１空気中の水分が吸着材に吸着されて第１空気が除湿され、その際に生じた吸着熱が冷媒に吸熱される。第２吸着熱交換器（32）で水分を奪われた第１空気は、第２右上ダンパ（72）を通って右上流路（61）へ流入し、排気側流路（65）を通過後に排気口（54）から室外へ排出される。
【００６５】
外気吸込口（51）から右下流路（62）へ流入した第２空気は、第１右下ダンパ（73）を通って第１吸着熱交換器（31）の下側へ流入し、第１吸着熱交換器（31）を下から上へ向かって通過する。第１吸着熱交換器（31）では、冷媒で加熱された吸着材から水分が脱離し、この脱離した水分が第２空気に付与される。第１吸着熱交換器（31）で加湿された第２空気は、第１左上ダンパ（75）を通って左上流路（63）へ流入し、給気側流路（66）を通過後に給気口（52）から室内へ供給される。
【００６６】
加湿運転時の第２動作では、上述したように、第２吸着熱交換器（32）が凝縮器となって第１吸着熱交換器（31）が蒸発器となる。そして、第１調湿ユニット（11）では、第１吸着熱交換器（31）についての吸着動作と、第２吸着熱交換器（32）についての再生動作とが行われる。
【００６７】
この第２動作中には、図９に示すように、第１右上ダンパ（71）及び第２右下ダンパ（74）が開状態となり、第１右下ダンパ（73）及び第２右上ダンパ（72）が閉状態となる。また、第１左下ダンパ（77）及び第２左上ダンパ（76）が開状態となり、第１左上ダンパ（75）及び第２左下ダンパ（78）が閉状態となる。
【００６８】
内気吸込口（53）から左下流路（64）へ流入した第１空気は、第１左下ダンパ（77）を通って第１吸着熱交換器（31）の下側へ流入し、第１吸着熱交換器（31）を下から上へ向かって通過する。第１吸着熱交換器（31）では、第１空気中の水分が吸着材に吸着されて第１空気が除湿され、その際に生じた吸着熱が冷媒に吸熱される。第１吸着熱交換器（31）で水分を奪われた第１空気は、第１右上ダンパ（71）を通って右上流路（61）へ流入し、排気側流路（65）を通過後に排気口（54）から室外へ排出される。
【００６９】
外気吸込口（51）から右下流路（62）へ流入した第２空気は、第２右下ダンパ（74）を通って第２吸着熱交換器（32）の下側へ流入し、第２吸着熱交換器（32）を下から上へ向かって通過する。第２吸着熱交換器（32）では、冷媒で加熱された吸着材から水分が脱離し、この脱離した水分が第２空気に付与される。第２吸着熱交換器（32）で加湿された第２空気は、第２左上ダンパ（76）を通って左上流路（63）へ流入し、給気側流路（66）を通過後に給気口（52）から室内へ供給される。
【００７０】
−実施形態１の効果−
本実施形態の調湿装置（10）では、各調湿ユニット（11,12）において、除湿運転を行うか加湿運転を行うかを独立して選択できるようになっている。このため、それぞれの調湿ユニット（11,12）が別々の部屋へ調湿された空気を供給する場合、各調湿ユニット（11,12）では、それぞれが調湿を担当する部屋の状況に応じて除湿運転と加湿運転のどちらを選択することも可能となる。つまり、同時に除湿の必要な部屋と加湿の必要な部屋とが混在する状況では、除湿の必要な部屋へ空気を供給する調湿ユニット（11,12）で除湿運転を、加湿の必要な部屋へ空気を供給する調湿ユニット（11,12）で加湿運転をそれぞれ行うことができる。従って、本実施形態によれば、部屋毎の要求に応じた運転を調湿ユニット（11,12）で行うことができ、複数の部屋の湿度調節を行う際に使い勝手の良い調湿装置（10）を提供することができる。
【００７１】
また、本実施形態によれば、冷媒回路（15）に接続された吸着熱交換器（31,32,41,42）に吸着材を担持しているため、吸着材を冷媒回路（15）の冷媒によって効率よく加熱し又は冷却することができる。その結果、吸着材と空気の間で授受される水蒸気の量を増大させることができ、調湿ユニット（11,12）の能力向上あるいは調湿ユニット（11,12）の小型化を図ることができる。
【００７２】
また、本実施形態の調湿ユニット（11,12）は、調湿回路（30,40）に設けられた第１及び第２吸着熱交換器（31,32,41,42）の一方が水蒸気を吸着する間に他方が再生されるバッチ式の動作を行うようにしている。従って、本実施形態によれば、調湿ユニット（11,12）で除湿された第１空気と加湿された第２空気とを連続的に生成し、得られた第１空気又は第２空気を継続して室内へ供給することが可能となる。
【００７３】
また、本実施形態の調湿ユニット（11,12）では、第１及び第２吸着熱交換器（31,32,41,42）のうち第１空気を除湿する方が蒸発器となって第２空気を加湿する方が凝縮器となる。このため、蒸発器となっている吸着熱交換器（31,32,41,42）では、冷媒回路（15）の冷媒によって吸着材が冷却され、吸着材に対する空気中の水蒸気の吸着が促進される。また、凝縮器となっている吸着熱交換器（31,32,41,42）では、冷媒回路（15）の冷媒によって吸着材が加熱され、吸着材からの水蒸気の脱離が促進される。従って、この発明によれば、吸着材への水蒸気の吸着と吸着材からの水蒸気の脱離との両方を促進でき、調湿ユニット（11,12）の能力向上あるいは調湿ユニット（11,12）の小型化を図ることができる。
【００７４】
また、本実施形態では、室外ユニット（13）に設置した室外側四方切換弁（22）によって全ての調湿回路（30,40）における冷媒の流通方向を反転させている。つまり、各調湿ユニット（11,12）での動作切換に伴う調湿回路（30,40）での冷媒流通方向の切り換えを、室外ユニット（13）の室外側四方切換弁（22）だけで行っている。従って、本実施形態によれば、冷媒回路（15）に設けられる部品点数を最小限に留めることができ、調湿装置（10）の簡素化を図ることができる。
【００７５】
また、室外側四方切換弁（22）は、例えば４〜５分毎に１回程度の比較的高い頻度で切り換わるものであり、騒音の発生源となる可能性が高い。これに対し、本実施形態では、屋外に設置される室外ユニット（13）に室外側四方切換弁（22）を設けている。従って、本実施形態によれば、室外側四方切換弁（22）の動作に伴う騒音の問題を回避することが可能となる。
【００７６】
−実施形態１の変形例１−
上記各調湿ユニット（11,12）の除湿運転では、室外空気を第１空気として取り込んで室内へ供給すると共に、室内空気を第２空気として取り込んで室外へ排出し、除湿した第１空気を室内へ供給すると同時に室内の換気も行っている。
【００７７】
これに対し、上記各調湿ユニット（11,12）の除湿運転では、室内の換気は行わずに除湿した第１空気の供給だけを行うようにしてもよい。この除湿運転中における調湿ユニット（11,12）の動作について、第１調湿ユニット（11）を例に説明する。
【００７８】
この除湿運転時において、給気ファン（82）を運転すると、室内空気が内気吸込口（53）からケーシング（50）内へ第１空気として取り込まれる。また、排気ファン（81）を運転すると、室外空気が外気吸込口（51）からケーシング（50）内へ第２空気として取り込まれる。この除湿運転中においても、第１調湿ユニット（11）では第１動作と第２動作が交互に繰り返される。
【００７９】
第１動作では、図１０に示すように、第１右上ダンパ（71）及び第１右下ダンパ（73）が開状態となり、第２右上ダンパ（72）及び第２右下ダンパ（74）が閉状態となる。また、第２左上ダンパ（76）及び第２左下ダンパ（78）が開状態となり、第１左上ダンパ（75）及び第１左下ダンパ（77）が閉状態となる。また、第１動作中には、第１吸着熱交換器（31）が凝縮器となって第２吸着熱交換器（32）が蒸発器となる。
【００８０】
内気吸込口（53）から左下流路（64）へ流入した第１空気は、第２左下ダンパ（78）を通って第２吸着熱交換器（32）へ流入し、この第２吸着熱交換器（32）を通過する間に除湿される。除湿された第１空気は、第２左上ダンパ（76）を通って左上流路（63）へ流入し、給気側流路（66）を通過後に給気口（52）から室内へ供給される。
【００８１】
外気吸込口（51）から右下流路（62）へ流入した第２空気は、第１右下ダンパ（73）を通って第１吸着熱交換器（31）へ流入し、この第１吸着熱交換器（31）から脱離した水分を付与される。水分を付与された第２空気は、第１右上ダンパ（71）を通って右上流路（61）へ流入し、排気側流路（65）を通過後に排気口（54）から室外へ排出される。
【００８２】
第２動作では、図１１に示すように、第２右上ダンパ（72）及び第２右下ダンパ（74）が開状態となり、第１右上ダンパ（71）及び第１右下ダンパ（73）が閉状態となる。また、第１左上ダンパ（75）及び第１左下ダンパ（77）が開状態となり、第２左上ダンパ（76）及び第２左下ダンパ（78）が閉状態となる。また、第２動作中には、第２吸着熱交換器（32）が凝縮器となって第１吸着熱交換器（31）が蒸発器となる。
【００８３】
内気吸込口（53）から左下流路（64）へ流入した第１空気は、第１左下ダンパ（77）を通って第１吸着熱交換器（31）へ流入し、この第１吸着熱交換器（31）を通過する間に除湿される。除湿された第１空気は、第１左上ダンパ（75）を通って左上流路（63）へ流入し、給気側流路（66）を通過後に給気口（52）から室内へ供給される。
【００８４】
外気吸込口（51）から右下流路（62）へ流入した第２空気は、第２右下ダンパ（74）を通って第２吸着熱交換器（32）へ流入し、この第２吸着熱交換器（32）から脱離した水分を付与される。水分を付与された第２空気は、第２右上ダンパ（72）を通って右上流路（61）へ流入し、排気側流路（65）を通過後に排気口（54）から室外へ排出される。
【００８５】
−実施形態１の変形例２−
上記各調湿ユニット（11,12）の加湿運転では、室外空気を第２空気として取り込んで室内へ供給すると共に、室内空気を第１空気として取り込んで室外へ排出し、加湿した第２空気を室内へ供給すると同時に室内の換気も行っている。
【００８６】
これに対し、上記各調湿ユニット（11,12）の加湿運転では、室内の換気は行わずに加湿した第２空気の供給だけを行うようにしてもよい。この加湿運転中における調湿ユニット（11,12）の動作について、第１調湿ユニット（11）を例に説明する。
【００８７】
この加湿運転時において、給気ファン（82）を運転すると、室内空気が内気吸込口（53）からケーシング（50）内へ第２空気として取り込まれる。また、排気ファン（81）を運転すると、室外空気が外気吸込口（51）からケーシング（50）内へ第１空気として取り込まれる。この加湿運転中においても、第１調湿ユニット（11）では第１動作と第２動作が交互に繰り返される。
【００８８】
第１動作では、図１２に示すように、第２右上ダンパ（72）及び第２右下ダンパ（74）が開状態となり、第１右上ダンパ（71）及び第１右下ダンパ（73）が閉状態となる。また、第１左上ダンパ（75）及び第１左下ダンパ（77）が開状態となり、第２左上ダンパ（76）及び第２左下ダンパ（78）が閉状態となる。また、第１動作中には、第１吸着熱交換器（31）が凝縮器となって第２吸着熱交換器（32）が蒸発器となる。
【００８９】
外気吸込口（51）から右下流路（62）へ流入した第１空気は、第２右下ダンパ（74）を通って第２吸着熱交換器（32）へ流入し、この第２吸着熱交換器（32）を通過する間に水分を奪われる。水分を奪われた第１空気は、第２右上ダンパ（72）を通って右上流路（61）へ流入し、排気側流路（65）を通過後に排気口（54）から室外へ排出される。
【００９０】
内気吸込口（53）から左下流路（64）へ流入した第２空気は、第１左下ダンパ（77）を通って第１吸着熱交換器（31）へ流入し、この第１吸着熱交換器（31）を通過する間に加湿される。加湿された第２空気は、第１左上ダンパ（75）を通って左上流路（63）へ流入し、給気側流路（66）を通過後に給気口（52）から室内へ供給される。
【００９１】
第２動作では、図１３に示すように、第１右上ダンパ（71）及び第１右下ダンパ（73）が開状態となり、第２右上ダンパ（72）及び第２右下ダンパ（74）が閉状態となる。また、第２左上ダンパ（76）及び第２左下ダンパ（78）が開状態となり、第１左上ダンパ（75）及び第１左下ダンパ（77）が閉状態となる。また、第２動作中には、第２吸着熱交換器（32）が凝縮器となって第１吸着熱交換器（31）が蒸発器となる。
【００９２】
外気吸込口（51）から右下流路（62）へ流入した第１空気は、第１右下ダンパ（73）を通って第１吸着熱交換器（31）へ流入し、この第１吸着熱交換器（31）を通過する間に水分を奪われる。水分を奪われた第１空気は、第１右上ダンパ（71）を通って右上流路（61）へ流入し、排気側流路（65）を通過後に排気口（54）から室外へ排出される。
【００９３】
内気吸込口（53）から左下流路（64）へ流入した第２空気は、第２左下ダンパ（78）を通って第２吸着熱交換器（32）へ流入し、この第２吸着熱交換器（32）を通過する間に加湿される。加湿された第２空気は、第２左上ダンパ（76）を通って左上流路（63）へ流入し、給気側流路（66）を通過後に給気口（52）から室内へ供給される。
【００９４】
−実施形態１の変形例３−
上記各調湿ユニット（11,12）では、室外から室内への給気だけを行う運転を除湿運転や加湿運転として行うようにしてもよい。この給気のみを行う除湿運転中や加湿運転中における調湿ユニット（11,12）の動作について、第１調湿ユニット（11）を例に説明する。
【００９５】
給気のみを行う除湿運転と加湿運転のそれぞれにおいて、給気ファン（82）及び排気ファン（81）を運転すると、室外空気だけが外気吸込口（51）からケーシング（50）内へ取り込まれる。また、給気のみを行う除湿運転と加湿運転のそれぞれにおいて、第１吸着熱交換器（31）が凝縮器となって第２吸着熱交換器（32）が蒸発器となる第１動作と、第２吸着熱交換器（32）が凝縮器となって第１吸着熱交換器（31）が蒸発器となる第２動作とが交互に繰り返される。
【００９６】
先ず、給気のみを行う除湿運転について説明する。ケーシング（50）内へ取り込まれた室外空気は、その一部が第１空気として蒸発器となっている吸着熱交換器（31,32）へ、残りが第２空気として凝縮器となっている吸着熱交換器（31,32）へそれぞれ導入される。そして、第１調湿ユニット（11）は、２つの吸着熱交換器（31,32）のうち蒸発器となっている方で除湿された第１空気を室内へ供給し、凝縮器となっている方で加湿された第２空気を室外へ排出する。
【００９７】
例えば、この除湿運転の第２動作では、図１４に示すように、第２右上ダンパ（72）、第１右下ダンパ（73）及び第２右下ダンパ（74）が開状態となり、第１右上ダンパ（71）が閉状態となる。また、第１左上ダンパ（75）が開状態となり、第２左上ダンパ（76）、第１左下ダンパ（77）及び第２左下ダンパ（78）が閉状態となる。ケーシング（50）内において、第１空気は、第１右下ダンパ（73）、第１吸着熱交換器（31）、第１左上ダンパ（75）の順に流れ、給気口（52）から室内へ供給される。一方、第２空気は、第２右下ダンパ（74）、第２吸着熱交換器（32）、第２右上ダンパ（72）の順に流れ、排気口（54）から室外へ排出される。
【００９８】
次に、給気のみを行う加湿運転について説明する。ケーシング（50）内へ取り込まれた室外空気は、その一部が第１空気として蒸発器となっている吸着熱交換器（31,32）へ、残りが第２空気として凝縮器となっている吸着熱交換器（31,32）へそれぞれ導入される。そして、第１調湿ユニット（11）は、２つの吸着熱交換器（31,32）のうち蒸発器となっている方で除湿された第１空気を室外へ排出し、凝縮器となっている方で加湿された第２空気を室内へ供給する。
【００９９】
例えば、この加湿運転の第２動作では、図１５に示すように、第１右上ダンパ（71）、第１右下ダンパ（73）及び第２右下ダンパ（74）が開状態となり、第２右上ダンパ（72）が閉状態となる。また、第２左上ダンパ（76）が開状態となり、第１左上ダンパ（75）、第１左下ダンパ（77）及び第２左下ダンパ（78）が閉状態となる。ケーシング（50）内において、第１空気は、第１右下ダンパ（73）、第１吸着熱交換器（31）、第１右上ダンパ（71）の順に流れ、排気口（54）から室外へ排出される。一方、第２空気は、第２右下ダンパ（74）、第２吸着熱交換器（32）、第２左上ダンパ（76）の順に流れ、給気口（52）から室内へ供給される。
【０１００】
−実施形態１の変形例４−
上記各調湿ユニット（11,12）では、室内から室外への排気だけを行う運転を除湿運転や加湿運転として行うようにしてもよい。この排気のみを行う除湿運転中や加湿運転中における調湿ユニット（11,12）の動作について、第１調湿ユニット（11）を例に説明する。
【０１０１】
排気のみを行う除湿運転と加湿運転のそれぞれにおいて、給気ファン（82）及び排気ファン（81）を運転すると、室内空気だけが内気吸込口（53）からケーシング（50）内へ取り込まれる。また、排気のみを行う除湿運転と加湿運転のそれぞれにおいて、第１吸着熱交換器（31）が凝縮器となって第２吸着熱交換器（32）が蒸発器となる第１動作と、第２吸着熱交換器（32）が凝縮器となって第１吸着熱交換器（31）が蒸発器となる第２動作とが交互に繰り返される。
【０１０２】
先ず、排気のみを行う除湿運転について説明する。ケーシング（50）内へ取り込まれた室内空気は、その一部が第１空気として蒸発器となっている吸着熱交換器（31,32）へ、残りが第２空気として凝縮器となっている吸着熱交換器（31,32）へそれぞれ導入される。そして、第１調湿ユニット（11）は、２つの吸着熱交換器（31,32）のうち蒸発器となっている方で除湿された第１空気を室内へ供給し、凝縮器となっている方で加湿された第２空気を室外へ排出する。
【０１０３】
例えば、この除湿運転の第２動作では、図１６に示すように、第２右上ダンパ（72）が開状態となり、第１右上ダンパ（71）、第１右下ダンパ（73）及び第２右下ダンパ（74）が閉状態となる。また、第１左上ダンパ（75）、第１左下ダンパ（77）及び第２左下ダンパ（78）が開状態となり、第２左上ダンパ（76）が閉状態となる。ケーシング（50）内において、第１空気は、第１左下ダンパ（77）、第１吸着熱交換器（31）、第１左上ダンパ（75）の順に流れ、給気口（52）から室内へ供給される。一方、第２空気は、第２左下ダンパ（78）、第２吸着熱交換器（32）、第２右上ダンパ（72）の順に流れ、排気口（54）から室外へ排出される。
【０１０４】
次に、排気のみを行う加湿運転について説明する。ケーシング（50）内へ取り込まれた室内空気は、その一部が第１空気として蒸発器となっている吸着熱交換器（31,32）へ、残りが第２空気として凝縮器となっている吸着熱交換器（31,32）へそれぞれ導入される。そして、第１調湿ユニット（11）は、２つの吸着熱交換器（31,32）のうち蒸発器となっている方で除湿された第１空気を室外へ排出し、凝縮器となっている方で加湿された第２空気を室内へ供給する。
【０１０５】
例えば、この加湿運転の第２動作では、図１７に示すように、第１右上ダンパ（71）が開状態となり、第２右上ダンパ（72）、第１右下ダンパ（73）及び第２右下ダンパ（74）が閉状態となる。また、第２左上ダンパ（76）、第１左下ダンパ（77）及び第２左下ダンパ（78）が開状態となり、第１左上ダンパ（75）が閉状態となる。ケーシング（50）内において、第１空気は、第１左下ダンパ（77）、第１吸着熱交換器（31）、第１右上ダンパ（71）の順に流れ、排気口（54）から室外へ排出される。一方、第２空気は、第２左下ダンパ（78）、第２吸着熱交換器（32）、第２左上ダンパ（76）の順に流れ、給気口（52）から室内へ供給される。
【０１０６】
−実施形態１の変形例５−
上記調湿装置（10）では、各調湿ユニット（11,12）において次のような運転を行ってもよい。
【０１０７】
上述のように、上記各調湿ユニット（11,12）では、除湿運転中や加湿運転中に室外から室内への給気と室内から室外への排気を行うようにしている。その際、室内への給気量と室内からの排気量は原則的に等しく設定されるが、両者を異なる値に設定してもよい。例えば、隙間風などによって室内へ外気が侵入するのを防止したい場合は、室内が陽圧となるように給気量を排気量よりも大きな値に設定する。また、室内空気が室外へ漏れ出すのを防止したい場合は、室内が陰圧となるように排気量を給気量よりも大きな値に設定する。
【０１０８】
また、上記各調湿ユニット（11,12）では、電動膨張弁（33,43）を全閉して調湿回路（30,40）における冷媒の流通を遮断し、その状態で給気ファン（82）と排気ファン（81）とを運転して換気だけを行う単純換気運転を行ってもよい。例えば、春期や秋期のような中間期には室内の湿度調節が不要な場合もあるが、室内の換気は１年を通じて必要である。そこで、このような湿度調節が不要な時期には、単純換気運転を行うことで調湿装置（10）の消費電力を抑制できる。
【０１０９】
また、上記各調湿ユニット（11,12）では、湿度は調節せずに温度だけを調節した空気を室内へ供給する空調運転を行ってもよい。この調湿ユニット（11,12）の空調運転中には、２つの吸着熱交換器（31,32,41,42）のうち蒸発器となっている方を通過した空気が室内へ、凝縮器となっている方を通過した空気が室外へそれぞれ送られるように各ダンパ（71〜78）の開閉状態を設定すれば、吸着熱交換器（31,32,41,42）で冷却された空気が室内へ供給されて冷房が行われる。逆に、２つの吸着熱交換器（31,32,41,42）のうち凝縮器となっている方を通過した空気が室内へ、蒸発器となっている方を通過した空気が室外へそれぞれ送られるように各ダンパ（71〜78）の開閉状態を設定すれば、吸着熱交換器（31,32,41,42）で加熱された空気が室内へ供給されて暖房が行われる。
【０１１０】
《発明の実施形態２》
本発明の実施形態２について説明する。本実施形態は、上記実施形態１の調湿装置（10）において、室外回路（20）と各調湿回路（30,40）の構成を変更したものである。また、本実施形態の調湿装置（10）では、室外回路（20）と調湿回路（30,40）の構成変更に伴って冷媒回路（15）の構成も上記実施形態１のものと相違している。ここでは、上記調湿装置（10）について、上記実施形態１と異なる点を説明する。
【０１１１】
図１８に示すように、本実施形態の各調湿回路（30,40）には、調湿側四方切換弁（34,44）が１つずつ追加されている。調湿側四方切換弁（34,44）は、調湿回路（30,40）での冷媒の流通方向を反転させるための反転機構を構成している。
【０１１２】
各調湿回路（30,40）において、第１閉鎖弁（35,45）は調湿側四方切換弁（34,44）の第１のポートに接続され、第２閉鎖弁（36,46）は調湿側四方切換弁（34,44）の第２のポートに接続されている。また、各調湿回路（30,40）では、調湿側四方切換弁（34,44）の第３のポートから第４のポートへ向かって順に、第１吸着熱交換器（31,41）と電動膨張弁（33,43）と第２吸着熱交換器（32,42）とが配置されている。
【０１１３】
各調湿回路（30,40）の調湿側四方切換弁（34,44）は、第１のポートと第３のポートが互いに連通して第２のポートと第４のポートが互いに連通する第１状態（図１８(Ａ)に示す状態）と、第１のポートと第４のポートが互いに連通して第２のポートと第３ポートが互いに連通する第２状態（図１８(Ｂ)に示す状態）とに切り換わる。
【０１１４】
一方、本実施形態の室外回路（20）には、圧縮機（21）だけが設けられている。圧縮機（21）の吐出側に位置する室外回路（20）の端部は、連絡配管を介して各調湿回路（30,40）の第１閉鎖弁（35,45）に接続されている。また、圧縮機（21）の吸入側に位置する室外回路（20）の端部は、別の連絡配管を介して各調湿回路（30,40）の第２閉鎖弁（36,46）に接続されている。
【０１１５】
−運転動作−
上記調湿装置（10）では、各調湿ユニット（11,12）において除湿運転と加湿運転を選択的に行うことができる。
【０１１６】
具体的には、図１８に示すように、第１調湿ユニット（11）と第２調湿ユニット（12）の両方で除湿運転を行うことができる。また、図１９に示すように、第１調湿ユニット（11）と第２調湿ユニット（12）の両方で加湿運転を行うこともできる。また、図２０に示すように、第１調湿ユニット（11）と第２調湿ユニット（12）の一方で除湿運転を、他方で加湿運転をそれぞれ行うこともできる。尚、図２０では、第１調湿ユニット（11）で除湿運転を行って第２調湿ユニット（12）で加湿運転を行う状態を示している。
【０１１７】
〈調湿装置の動作〉
図１８〜図２０に示すように、各調湿ユニット（11,12）における除湿運転中と加湿運転中の両方においても、冷媒回路（15）では第１動作と第２動作が交互に繰り返される。
【０１１８】
先ず、冷媒回路（15）の第１動作について、図１８(Ａ)，図１９(Ａ)，図２０(Ａ)を参照しながら説明する。この第１動作では、各調湿ユニット（11,12）の調湿側四方切換弁（34,44）がそれぞれ第１状態に設定される。各調湿ユニット（11,12）の調湿回路（30,40）では、第１吸着熱交換器（31,41）が凝縮器となって第２吸着熱交換器（32,42）が蒸発器となる。つまり、圧縮機（21）から吐出されて各調湿回路（30,40）へ分配された冷媒は、第１吸着熱交換器（31,41）で凝縮し、続いて電動膨張弁（33,43）を通過する際に減圧されてから第２吸着熱交換器（32,42）で蒸発し、その後に圧縮機（21）へ吸入されて圧縮される。そして、凝縮器となっている各第１吸着熱交換器（31,41）で第２空気が加湿され、蒸発器となっている各第２吸着熱交換器（32,42）で第１空気が除湿される。
【０１１９】
次に、冷媒回路（15）の第２動作について、図１８(Ｂ)，図１９(Ｂ)，図２０(Ｂ)を参照しながら説明する。この第２動作では、各調湿ユニット（11,12）の調湿側四方切換弁（34,44）がそれぞれ第２状態に設定される。各調湿ユニット（11,12）の調湿回路（30,40）では、第２吸着熱交換器（32,42）が凝縮器となって第１吸着熱交換器（31,41）が蒸発器となる。つまり、圧縮機（21）から吐出されて各調湿回路（30,40）へ分配された冷媒は、第２吸着熱交換器（32,42）で凝縮し、続いて電動膨張弁（33,43）を通過する際に減圧されてから第１吸着熱交換器（31,41）で蒸発し、その後に圧縮機（21）へ吸入されて圧縮される。そして、凝縮器となっている各第２吸着熱交換器（32,42）で第２空気が加湿され、蒸発器となっている各第１吸着熱交換器（31,41）で第１空気が除湿される。
【０１２０】
上述した通り、各調湿ユニット（11,12）では、第１吸着熱交換器（31,41）と第２吸着熱交換器（32,42）のうち蒸発器となっている方で第１空気が除湿され、凝縮器となっている方で第２空気が加湿される。そして、調湿ユニット（11,12）は、除湿運転中であれば除湿された第１空気を室内へ供給して加湿された第２空気を室外へ排出し（図１８を参照）、加湿運転中であれば加湿された第２空気を室内へ供給して除湿された第１空気を室外へ排出する（図１９を参照）。
【０１２１】
このように、各調湿ユニット（11,12）では、吸着熱交換器（31,32,41,42）を通過した第１空気と第２空気の送り先を変更することによって、除湿運転と加湿運転の切り換えが可能である。そして、調湿ユニット（11,12）毎に第１空気と第２空気の送り先が異なるように設定すれば、図２０に示すように、一方の調湿ユニット（11）で除湿運転を行って、他方の調湿ユニット（12）で加湿運転を行うことも可能である。
【０１２２】
−実施形態２の効果−
本実施形態では、それぞれの調湿ユニット（11,12）に調湿側四方切換弁（34,44）を設けている。このため、各調湿ユニット（11,12）の調湿回路（30,40）における冷媒の流通方向を調湿側四方切換弁（34,44）によって個別に設定することができる。従って、本実施形態によれば、調湿ユニット（11,12）毎に第１動作と第２動作の切り換えタイミングを個別に設定することが可能となる。
【産業上の利用可能性】
【０１２３】
以上説明したように、本発明は、除湿し又は加湿した空気を室内へ供給する調湿装置について有用である。
【図面の簡単な説明】
【０１２４】
【図１】実施形態１における調湿装置の概略構成と両方の調湿ユニットが除湿運転中の動作を示す冷媒回路図である。
【図２】実施形態１における調湿装置の概略構成と両方の調湿ユニットが加湿運転中の動作を示す冷媒回路図である。
【図３】実施形態１における調湿装置の概略構成と第１調湿ユニットが除湿運転中で第２調湿ユニットが加湿運転中の動作を示す冷媒回路図である。
【図４】実施形態１における調湿ユニットの構造を示す斜視図である。
【図５】実施形態１における調湿ユニットの概略構成図である。
【図６】実施形態１における除湿運転の第１動作を示す調湿ユニットの概略構成図である。
【図７】実施形態１における除湿運転の第２動作を示す調湿ユニットの概略構成図である。
【図８】実施形態１における加湿運転の第１動作を示す調湿ユニットの概略構成図である。
【図９】実施形態１における加湿運転の第２動作を示す調湿ユニットの概略構成図である。
【図１０】実施形態１の変形例１における除湿運転の第１動作を示す調湿ユニットの概略構成図である。
【図１１】実施形態１の変形例１における除湿運転の第２動作を示す調湿ユニットの概略構成図である。
【図１２】実施形態１の変形例２における加湿運転の第１動作を示す調湿ユニットの概略構成図である。
【図１３】実施形態１の変形例２における加湿運転の第２動作を示す調湿ユニットの概略構成図である。
【図１４】実施形態１の変形例３における除湿運転の第２動作を示す調湿ユニットの概略構成図である。
【図１５】実施形態１の変形例３における加湿運転の第２動作を示す調湿ユニットの概略構成図である。
【図１６】実施形態１の変形例４における除湿運転の第２動作を示す調湿ユニットの概略構成図である。
【図１７】実施形態１の変形例４における加湿運転の第２動作を示す調湿ユニットの概略構成図である。
【図１８】実施形態２における調湿装置の概略構成と両方の調湿ユニットが除湿運転中の動作を示す冷媒回路図である。
【図１９】実施形態２における調湿装置の概略構成と両方の調湿ユニットが加湿運転中の動作を示す冷媒回路図である。
【図２０】実施形態２における調湿装置の概略構成と第１調湿ユニットが除湿運転中で第２調湿ユニットが加湿運転中の動作を示す冷媒回路図である。
【符号の説明】
【０１２５】
（10）  調湿装置
（11）  第１調湿ユニット
（12）  第２調湿ユニット
（13）  室外ユニット（圧縮機ユニット）
（15）  冷媒回路
（22）  室外側四方切換弁（反転機構）
（30）  調湿回路
（31）  第１吸着熱交換器
（32）  第２吸着熱交換器
（33）  電動膨張弁（膨張機構）
（34）  調湿側四方切換弁（反転機構）
（40）  調湿回路
（41）  第１吸着熱交換器
（42）  第２吸着熱交換器
（43）  電動膨張弁（膨張機構）
（44）  調湿側四方切換弁（反転機構）
【手続補正３】
【補正対象書類名】図面
【補正対象項目名】図２１
【補正方法】削除
【補正の内容】
【手続補正４】
【補正対象書類名】図面
【補正対象項目名】図２２
【補正方法】削除
【補正の内容】
【手続補正５】
【補正対象書類名】図面
【補正対象項目名】図２３
【補正方法】削除
【補正の内容】
【手続補正６】
【補正対象書類名】図面
【補正対象項目名】図２４
【補正方法】削除
【補正の内容】